(57)【要約】【課題】トラックバッファのオーバーフローを防止して、ディスク上に点在する空き領域に対して連続した記録信号の記録を行う。【解決手段】トラックバッファへ記録する記録情報の転送レートを「Ｂ」、トラックバッファの容量を「Ｃ」、記録領域のシークに要する時間を「Ｔ」として、システムコントローラ９が、「Ｃ／Ｂ＞Ｔ」の容量以上の容量を有する空き領域を、連続的な記録情報の記録再生が可能な空き領域として検出し、この空き領域に対して選択的に記録情報の記録再生を行う。【選択図】  図１
2008010148.tif 000002
【特許請求の範囲】
【請求項１】
所定の容量を有する一時記憶手段により、少なくとも記録時における記録情報の転送レートの差を吸収するステップと、
記録媒体上の記録情報の少なくとも記録位置を示す位置情報が記録されている管理領域から該位置情報の再生を行うステップと、
前記再生された位置情報に基づいて、記録媒体上の記録情報が記録されている記録領域に対する空き領域を検出するステップと、
前記検出された各空き領域の間に存在する記録済み領域をシークするのに要する時間を検出するステップと、
前記一時記憶手段へ記録する記録情報の転送レートを「Ｂ」、前記一時記憶手段の容量を「Ｃ」、前記シークに要する時間を「Ｔ」として、「Ｃ／Ｂ＞Ｔ」を満足する場合に、その空き領域を連続的な記録情報の記録再生が可能な空き領域として検出すると共に、この検出された空き領域に対して、前記一時記憶手段を介して記録情報の記録を行うステップと
を有することを特徴とする記録再生方法。
【請求項２】
所定の容量を有する一時記憶手段により、少なくとも記録時における記録情報の転送レートの差を吸収するステップと、
記録媒体上の記録情報の少なくとも記録位置を示す位置情報が記録されている管理領域から該位置情報の再生を行うステップと、
前記再生された位置情報に基づいて、記録媒体上の記録情報が記録されている記録領域に対する空き領域を検出するステップと、
前記検出された各空き領域の間に存在する記録済み領域をシークするのに要する時間を検出するステップと、
記録時における記録媒体に対する記録情報の転送レートを「Ａ」、前記一時記憶手段へ記録する記録情報の転送レートを「Ｂ」、前記空き領域検出手段で検出された空き領域の容量を「ｍ」、前記シークに要する時間を「Ｔ」として、「ｍ＞（Ａ×Ｂ×Ｔ）／（Ａ−Ｂ）」を満足する場合に、その空き領域を、連続的な記録情報の記録再生が可能な空き領域として検出すると共に、この検出された空き領域に対して、前記一時記憶手段を介して記録情報の記録を行うステップと
を有することを特徴とする記録再生方法。
【請求項３】
所定の容量を有する一時記憶手段により、少なくとも記録時における記録情報の転送レートの差を吸収するステップと、
記録媒体上の記録情報の少なくとも記録位置を示す位置情報が記録されている管理領域から該位置情報の再生を行うステップと、
前記再生された位置情報に基づいて、記録媒体上の記録情報が記録されている記録領域に対する空き領域を検出するステップと、
前記検出された各空き領域の間に存在する記録済み領域をシークするのに要する時間を検出するステップと、
記録時における記録媒体に対する記録情報の転送レートを「Ａ」、前記一時記憶手段へ記録する記録情報の転送レートを「Ｂ」、前記一時記憶手段の容量を「Ｃ」、前記空き領域検出手段で検出された空き領域の容量を「ｍ」、前記シークに要する時間を「Ｔ」として、
「Ｃ／Ｂ＞Ｔ」及び
「ｍ＞（Ａ×Ｂ×Ｔ）／（Ａ−Ｂ）」
を満足する場合に、その空き領域を、連続的な記録情報の記録再生が可能な空き領域として検出すると共に、この検出された空き領域に対して、前記一時記憶手段を介して記録情報の記録を行うステップと
を有することを特徴とする記録再生方法。
【請求項４】
少なくとも記録時における記録情報の転送レートの差を吸収するために必要な所定の容量を有する一時記憶手段と、
記録媒体上の記録情報の少なくとも記録位置を示す位置情報が記録されている管理領域から該位置情報の再生を行う位置情報再生手段と、
前記位置情報再生手段により再生された位置情報に基づいて、記録媒体上の記録情報が記録されている記録領域に対する空き領域を検出する空き領域検出手段と、
前記空き領域検出手段で検出された各空き領域の間に存在する記録済み領域をシークするのに要する時間を検出するシーク時間検出手段と、
前記一時記憶手段へ記録する記録情報の転送レートを「Ｂ」、前記一時記憶手段の容量を「Ｃ」、前記シークに要する時間を「Ｔ」として、「Ｃ／Ｂ＞Ｔ」を満足する場合に、その空き領域を連続的な記録情報の記録再生が可能な空き領域として検出する記録可能空き領域検出手段と、
前記記録可能空き領域検出手段により検出された空き領域に対して、前記一時記憶手段を介して記録情報の記録を行う記録手段と
を有することを特徴とする記録再生装置。
【請求項５】
少なくとも記録時における記録情報の転送レートの差を吸収するために必要な所定の容量を有する一時記憶手段と、
記録媒体上の記録情報の少なくとも記録位置を示す位置情報が記録されている管理領域から該位置情報の再生を行う位置情報再生手段と、
前記位置情報再生手段により再生された位置情報に基づいて、記録媒体上の記録情報が記録されている記録領域に対する空き領域を検出する空き領域検出手段と、
前記空き領域検出手段で検出された各空き領域の間に存在する記録済み領域をシークするのに要する時間を検出するシーク時間検出手段と、
記録時における記録媒体に対する記録情報の転送レートを「Ａ」、前記一時記憶手段へ記録する記録情報の転送レートを「Ｂ」、前記空き領域検出手段で検出された空き領域の容量を「ｍ」、前記シークに要する時間を「Ｔ」として、「ｍ＞（Ａ×Ｂ×Ｔ）／（Ａ−Ｂ）」を満足する場合に、その空き領域を、連続的な記録情報の記録再生が可能な空き領域として検出する記録可能空き領域検出手段と、
前記記録可能空き領域検出手段により検出された空き領域に対して、前記一時記憶手段を介して記録情報の記録を行う記録手段と
を有することを特徴とする記録再生装置。
【請求項６】
少なくとも記録時における記録情報の転送レートの差を吸収するために必要な所定の容量を有する一時記憶手段と、
記録媒体上の記録情報の少なくとも記録位置を示す位置情報が記録されている管理領域から該位置情報の再生を行う位置情報再生手段と、
前記位置情報再生手段により再生された位置情報に基づいて、記録媒体上の記録情報が記録されている記録領域に対する空き領域を検出する空き領域検出手段と、
前記空き領域検出手段で検出された各空き領域の間に存在する記録済み領域をシークするのに要する時間を検出するシーク時間検出手段と、
記録時における記録媒体に対する記録情報の転送レートを「Ａ」、前記一時記憶手段へ記録する記録情報の転送レートを「Ｂ」、前記一時記憶手段の容量を「Ｃ」、前記空き領域検出手段で検出された空き領域の容量を「ｍ」、前記シークに要する時間を「Ｔ」として、
「Ｃ／Ｂ＞Ｔ」及び
「ｍ＞（Ａ×Ｂ×Ｔ）／（Ａ−Ｂ）」
を満足する場合に、その空き領域を、連続的な記録情報の記録再生が可能な空き領域として検出する記録可能空き領域検出手段と、
前記記録可能空き領域検出手段により検出された空き領域に対して、前記一時記憶手段を介して記録情報の記録を行う記録手段と
を有することを特徴とする記録再生装置。
【発明の詳細な説明】
【技術分野】
【０００１】
本発明は、例えばいわゆるＤＶＤ（デジタルビデオディスク或いはデジタルバーサタイルディスク）−ＲＡＭやＤＶＤ−ＲＷ（リライタブル）等のような光ディスクを中心とした光学情報記録部材に対して、レーザ光線等を用いた光学的な情報記録再生が可能であり、且つ、信号の圧縮伸長を行うために当該信号を一時記憶する手段を備え、光ディスク等の光学情報記録部材に対して高速かつ高密度に圧縮信号の記録再生を行う、記録再生方法及び記録再生装置に関するものである。
【背景技術】
【０００２】
光ディスクに対して高速かつ高密度に圧縮信号の記録／再生を行う記録再生装置として、従来より、いわゆるＤＶＤ−ＲＡＭ装置やＤＶＤ−ＲＷ装置、ＭＤ（ミニディスク）装置等が存在する。
【０００３】
これらの記録再生装置には、信号の圧縮／伸長を行うためや、外部からの振動等による記録／再生エラーの発生を防止するために、データを一時的に記憶する記憶手段（メモリ＝トラックバッファ）が備えられている。
【０００４】
例えばＭＤ装置は、音楽信号の約１０秒間分に相当する４Ｍ（メガ）ビット容量のＤＲＡＭ（ダイナミックＲＡＭ）等からなるトラックバッファを備えており、当該ＭＤ装置における光ディスクの再生時には、光ディスクから再生したデータをトラックバッファに一時記憶させ、このトラックバッファからデータを読み出して音楽信号を再生している間に、光ディスク上で次に再生すべきセクタ（トラック）上へ光学ヘッドのトレース位置を移動（キック或いはトラックジャンプ）させると共に、その再生すべきセクタ上で当該光学ヘッドを待機（光ディスクを回転させた状態で待機）させておくようにしている。
【０００５】
また、光ディスクへのデータ記録時には、記録すべき入力信号を圧縮してトラックバッファに記憶させ、トラックバッファ上に所定量だけ圧縮データが蓄積された時点で当該トラックバッファからその圧縮データを読み出して光ディスクに記録し、次の圧縮データをトラックバッファに記憶している間に、光ディスク上で次に記録すべきセクタ（トラック）上へ光学ヘッドのトレース位置を移動（キック或いはトラックジャンプ）させると共に、その記録すべきセクタ上で光学ヘッドを待機させておくようにしている。
【０００６】
このように、ＭＤ装置においては、トラックバッファを用いることで、光ディスクに対して間欠的なデータの記録／再生を行うようにしている。なお、外部からの振動等による記録／再生エラーの発生を防止するためにデータを一時的に記憶するトラックバッファは、ショックプルーフメモリと呼ばれている。
【０００７】
また、例えばＤＶＤ装置においては、ＭＤ装置と同様に、４Ｍビット分の容量のトラックバッファを備え、このトラックバッファを用いて可変転送レートでデータ転送を行うようにしている。
【０００８】
ここで、ＤＶＤ装置のデータ転送レートを８Ｍｂｐｓ（ビット／秒）とすると、４Ｍビット分のトラックバッファには０．５秒程度のデータを記憶することができるため、上述した光ディスクの所定セクタ上に光学ヘッドを待機させておく時間（キックさせている時間或いは回転待ち時間）も同様に０．５秒程度となる。
【０００９】
ただし、近年は、ＤＲＡＭの価格も安くなってきており、従来から使用されてきた４ＭビットのＤＲＡＭの代わりに、１６Ｍビット或いはそれ以上のＤＲＡＭを使用するのが一般的となってきている。１６ＭビットのＤＲＡＭを使用した場合、８Ｍｂｐｓのデータ転送レートで２秒間分のデータを一時的に記憶することが可能となり、６４ＭビットのＤＲＡＭを使用すれば、８Ｍｂｐｓのデータ転送レートで８秒間分のデータを一時的に記憶することが可能となる。
【００１０】
なお、上述したように、記録／再生されるデータを一時的に記憶するトラックバッファを備え、当該トラックバッファを利用して１つの転送レートの信号を記録／再生する技術は、例えば特開昭５９−１７２１６９号公報や特開平５−１２８５３１号公報等にて開示されている技術に基づいている。また、レーザ光線を利用して高密度な情報の再生あるいは記録を行う技術についても公知であり、主に光ディスクを記録媒体として使用する場合において実用化されている。
【００１１】
ここで、光ディスクは、再生専用型、追記型、書き換え型に大別することができ、再生専用型としては、音楽情報を記録したコンパクト・ディスク（ＣＤ）や画像情報を記録したビデオＣＤ（ＶＣＤ）、ＤＶＤ等として、また、追記型としては、ＣＤ−Ｒ、ＤＶＤ−Ｒ等として商品化されている。さらに、書き換え型として、現在では、ＣＤ−ＲＷやＤＶＤＲＡＭ、ＤＶＤ−ＲＷ等が映像、音声記録やパーソナルコンピュータ用のデータファイル等として商品化されつつある。
【００１２】
書き換え型は、レーザ光線等の照射条件を変えることにより２つ以上の状態間で可逆的に変化する記録薄膜を光ディスク上に設けることで実現されており、主なものとして光磁気型と相変化型がある。このうち相変化型の光ディスクは、レーザ光の照射条件を変化させることにより記録膜をアモルファス（非結晶）と結晶間で可逆的に状態変化させて信号を記録し、アモルファスと結晶の反射率の違いを光学的に検出して再生するものである。従って、当該書き換え型は、再生専用型や追記型と同様にレーザ光の反射率変化として信号の再生が可能であり、またレーザパワーを消去レベルと記録レベルの間で変調することによってオーバーライトが１ビームでできるため、装置構成を簡単にできるといったメリットがある。
【００１３】
また、既に商品化されている書き換え可能な光ディスクにおける信号の記録方法としては、さらなる高密度化のために、記録マークの前後のエッジ位置がデジタル信号の「１」に対応するパルス幅変調方式（以下、ＰＷＭと記す）が検討されている。なお、このＰＷＭ方式では、記録マークの幅が情報を持つため、記録マークを歪なく、すなわち前後対称に記録する必要がある。
【発明の開示】
【発明が解決しようとする課題】
【００１４】
ところで、従来より、例えば磁気テープ媒体を記録媒体として使用するテープ記録再生装置では、音声信号や動画像信号を記録する際に、記録時間の切り換え、例えば標準モード（標準時間モード）と長時間モードとの切り換えや、記録品質の切り換え、例えば標準モード（標準品質モード）と高品質モードとの切り換えなどが可能となっている。例えば、従来のアナログ記録を行うテープ記録再生装置において、これら記録時間の切り換えや記録品質の切り換えを実現する場合、具体的にはテープスピードを変化させることで対応しており、例えば記録時間を長時間（長時間モード）にする場合は、標準の記録時間（標準時間モード）の時よりもテープスピードを落とすなどして対応し、またこれに伴って再生時もテープスピードを落とすようにしている。なお、長時間モードの場合は、画質や音質もそれなりに落ちることになる。
【００１５】
一方、光ディスクを記録媒体として使用した場合においても、磁気テープ媒体を使用した場合と同じように、記録時間の切り換えや記録品質の切り換えを行えることが望まれる。このように、光ディスクを使用する記録再生装置において、記録時間の切り換えや記録品質の切り換えを実現する最も簡単な方法としては、例えば光ディスクを回転させる時の線速度を切り換えるようなことが考えられる。
【００１６】
ところが、光ディスクに信号を記録する場合、光ディスク上のレーザ照射部では、いわゆる蓄熱効果によって照射開始点より照射終点の方が高温に達するため、記録マーク形状が先端部（照射開始点）で細く終端部（照射終点）で太くなって涙滴状に歪むという問題がある。このような記録マーク形状の歪みは、再生波形の歪を引き起こすために、記録した信号が正しく読み出せないということの原因となる。なお、この記録マークの歪を低減する方法として、例えば一つの記録マークを複数の短パルス列の照射によって形成するオーバーライト方法（特開平３−１８５６２８号公報）及び、その波形を補正する方法（特開平６−１２６７４号公報）が既に提案されているが、より高速且つ高密度の記録再生を行う場合には、光ディスク個々のばらつきや、光ディスクの記録回数、周囲の温度等の環境条件によって最適な記録条件が異なることにより、再生品質が悪くなるという新たな課題が発生する場合がある。
【００１７】
すなわち、光ディスクを記録媒体として使用する記録再生装置において、記録時間の切り換えや記録品質の切り換えを実現するために、例えば光ディスクの回転時の線速度を変化させて記録しようとすると、記録特性が悪くなると言う問題が発生する。なお、この問題は、共に熱記録の範囲で記録を行なう相変化媒体と光磁気媒体の何れの場合でも発生する。
【００１８】
したがって、光ディスクの回転時の線速度を変化させずに、記録時間の切り換えや記録品質の切り換えを実現できることが望まれる。
【００１９】
また、近年は、ＤＶＤのように圧縮伸長技術としていわゆるＭＰＥＧ（Moving Picture Image Coding Experts Group）方式を採用した光ディスクやその記録再生装置が増えてきており、したがって、特に、当該ＭＰＥＧを採用した光ディスクやその記録再生装置において記録時間の切り換えや記録品質の切り換えを実現できることが望まれる。このＭＰＥＧを採用した場合の記録時間や記録品質の一例としては、例えば、
転送レート８Ｍｂｐｓで２時間分の記録を行う高品位記録モード、
転送レート４Ｍｂｐｓで４時間分の記録を行うやや高品位なモード（以下、中品位記録モードと呼ぶ）、
転送レート２Ｍｂｐｓで８時間分の記録を行う普通品位記録モード
のような各モードを考えることができ、これらモードを選択的に切り換え得ることが望まれる。なお、このように、ＭＰＥＧ方式を採用した記録再生装置において、記録時間を切り換えたり記録品質を切り換える記録モードを選択できるような装置は未だ存在していない。
【００２０】
但し、ＭＰＥＧ方式を採用した場合において、例えば普通品位記録モードのように低転送レートの長時間記録の記録モードを選択した場合、例えば速い速度で絵が動くような画像や、画面全体で絵がランダムに動くような画像では、画質（画像の品位）が極端に落ちるようになる虞がある。したがって、このように幾つかの記録モードがある場合には、それぞれの記録モードでの画質や音質を簡単に確認できることが望まれる。
【００２１】
次に、動画像や連続する音声情報を記録する場合、或いはこれを編集して記録再生を行う場合には、記録すべき情報の連続性を確保する必要があることから記録動作を一時的に停止することはできない。しかし、記録装置としては、あらゆる状態で連続記録を可能とすることが好ましい。
【００２２】
特に、編集により削除等を行うと、ディスク上の空き領域が点在するようになる。ここに動画の記録信号の記録を行おうとした場合、トラックバッファに書き込みまれる動画の記録信号の情報量が、該トラックバッファから読み出してディスクへに記録する動画の記録信号の情報量を上回ってしまうと、トラックバッファがオーバーフローすることとなるため、動画の記録信号を連続して記録できない虞がある。
【００２３】
本発明は、上述の課題に鑑みてなされたものであり、光ディスクを記録媒体として使用する場合において、トラックバッファのオーバーフローを防止して、ディスク上に点在する空き領域に対して連続した記録信号の記録を行うことができるような記録再生方法及び記録再生装置の提供を目的とする。
【課題を解決するための手段】
【００２４】
上述の課題を解決するための手段として、本発明に係る記録再生方法は、以下の特徴を有する。
【００２５】
（１）所定の容量を有する一時記憶手段により、少なくとも記録時における記録情報の転送レートの差を吸収するステップと、記録媒体上の記録情報の少なくとも記録位置を示す位置情報が記録されている管理領域から該位置情報の再生を行うステップと、前記再生された位置情報に基づいて、記録媒体上の記録情報が記録されている記録領域に対する空き領域を検出するステップと、前記検出された各空き領域の間に存在する記録済み領域をシークするのに要する時間を検出するステップと、前記一時記憶手段へ記録する記録情報の転送レートを「Ｂ」、前記一時記憶手段の容量を「Ｃ」、前記シークに要する時間を「Ｔ」として、「Ｃ／Ｂ＞Ｔ」を満足する場合に、その空き領域を連続的な記録情報の記録再生が可能な空き領域として検出すると共に、この検出された空き領域に対して、前記一時記憶手段を介して記録情報の記録を行うステップとを有することを特徴とする記録再生方法。
【００２６】
（２）所定の容量を有する一時記憶手段により、少なくとも記録時における記録情報の転送レートの差を吸収するステップと、記録媒体上の記録情報の少なくとも記録位置を示す位置情報が記録されている管理領域から該位置情報の再生を行うステップと、前記再生された位置情報に基づいて、記録媒体上の記録情報が記録されている記録領域に対する空き領域を検出するステップと、前記検出された各空き領域の間に存在する記録済み領域をシークするのに要する時間を検出するステップと、記録時における記録媒体に対する記録情報の転送レートを「Ａ」、前記一時記憶手段へ記録する記録情報の転送レートを「Ｂ」、前記空き領域検出手段で検出された空き領域の容量を「ｍ」、前記シークに要する時間を「Ｔ」として、「ｍ＞（Ａ×Ｂ×Ｔ）／（Ａ−Ｂ）」を満足する場合に、その空き領域を、連続的な記録情報の記録再生が可能な空き領域として検出すると共に、この検出された空き領域に対して、前記一時記憶手段を介して記録情報の記録を行うステップとを有することを特徴とする記録再生方法。
【００２７】
（３）所定の容量を有する一時記憶手段により、少なくとも記録時における記録情報の転送レートの差を吸収するステップと、記録媒体上の記録情報の少なくとも記録位置を示す位置情報が記録されている管理領域から該位置情報の再生を行うステップと、前記再生された位置情報に基づいて、記録媒体上の記録情報が記録されている記録領域に対する空き領域を検出するステップと、前記検出された各空き領域の間に存在する記録済み領域をシークするのに要する時間を検出するステップと、記録時における記録媒体に対する記録情報の転送レートを「Ａ」、前記一時記憶手段へ記録する記録情報の転送レートを「Ｂ」、前記一時記憶手段の容量を「Ｃ」、前記空き領域検出手段で検出された空き領域の容量を「ｍ」、前記シークに要する時間を「Ｔ」として、
「Ｃ／Ｂ＞Ｔ」及び
「ｍ＞（Ａ×Ｂ×Ｔ）／（Ａ−Ｂ）」
を満足する場合に、その空き領域を、連続的な記録情報の記録再生が可能な空き領域として検出すると共に、この検出された空き領域に対して、前記一時記憶手段を介して記録情報の記録を行うステップとを有することを特徴とする記録再生方法。
【００２８】
上述の課題を解決するための手段として、本発明に係る記録再生装置は、以下の特徴を有する。
【００２９】
（１）少なくとも記録時における記録情報の転送レートの差を吸収するために必要な所定の容量を有する一時記憶手段と、記録媒体上の記録情報の少なくとも記録位置を示す位置情報が記録されている管理領域から該位置情報の再生を行う位置情報再生手段と、前記位置情報再生手段により再生された位置情報に基づいて、記録媒体上の記録情報が記録されている記録領域に対する空き領域を検出する空き領域検出手段と、前記空き領域検出手段で検出された各空き領域の間に存在する記録済み領域をシークするのに要する時間を検出するシーク時間検出手段と、前記一時記憶手段へ記録する記録情報の転送レートを「Ｂ」、前記一時記憶手段の容量を「Ｃ」、前記シークに要する時間を「Ｔ」として、「Ｃ／Ｂ＞Ｔ」を満足する場合に、その空き領域を連続的な記録情報の記録再生が可能な空き領域として検出する記録可能空き領域検出手段と、前記記録可能空き領域検出手段により検出された空き領域に対して、前記一時記憶手段を介して記録情報の記録を行う記録手段とを有することを特徴とする記録再生装置。
【００３０】
（２）少なくとも記録時における記録情報の転送レートの差を吸収するために必要な所定の容量を有する一時記憶手段と、記録媒体上の記録情報の少なくとも記録位置を示す位置情報が記録されている管理領域から該位置情報の再生を行う位置情報再生手段と、前記位置情報再生手段により再生された位置情報に基づいて、記録媒体上の記録情報が記録されている記録領域に対する空き領域を検出する空き領域検出手段と、前記空き領域検出手段で検出された各空き領域の間に存在する記録済み領域をシークするのに要する時間を検出するシーク時間検出手段と、記録時における記録媒体に対する記録情報の転送レートを「Ａ」、前記一時記憶手段へ記録する記録情報の転送レートを「Ｂ」、前記空き領域検出手段で検出された空き領域の容量を「ｍ」、前記シークに要する時間を「Ｔ」として、「ｍ＞（Ａ×Ｂ×Ｔ）／（Ａ−Ｂ）」を満足する場合に、その空き領域を、連続的な記録情報の記録再生が可能な空き領域として検出する記録可能空き領域検出手段と、前記記録可能空き領域検出手段により検出された空き領域に対して、前記一時記憶手段を介して記録情報の記録を行う記録手段とを有することを特徴とする記録再生装置。
【００３１】
（３）少なくとも記録時における記録情報の転送レートの差を吸収するために必要な所定の容量を有する一時記憶手段と、記録媒体上の記録情報の少なくとも記録位置を示す位置情報が記録されている管理領域から該位置情報の再生を行う位置情報再生手段と、前記位置情報再生手段により再生された位置情報に基づいて、記録媒体上の記録情報が記録されている記録領域に対する空き領域を検出する空き領域検出手段と、前記空き領域検出手段で検出された各空き領域の間に存在する記録済み領域をシークするのに要する時間を検出するシーク時間検出手段と、記録時における記録媒体に対する記録情報の転送レートを「Ａ」、前記一時記憶手段へ記録する記録情報の転送レートを「Ｂ」、前記一時記憶手段の容量を「Ｃ」、前記空き領域検出手段で検出された空き領域の容量を「ｍ」、前記シークに要する時間を「Ｔ」として、
「Ｃ／Ｂ＞Ｔ」及び
「ｍ＞（Ａ×Ｂ×Ｔ）／（Ａ−Ｂ）」
を満足する場合に、その空き領域を、連続的な記録情報の記録再生が可能な空き領域として検出する記録可能空き領域検出手段と、前記記録可能空き領域検出手段により検出された空き領域に対して、前記一時記憶手段を介して記録情報の記録を行う記録手段とを有することを特徴とする記録再生装置。
【発明の効果】
【００３２】
請求項１記載の本発明に係る記録再生方法は、一時記憶手段へ記録する記録情報の転送レートを「Ｂ」、前記一時記憶手段の容量を「Ｃ」、前記記録領域のシークに要する時間を「Ｔ」として、「Ｃ／Ｂ＞Ｔ」の容量以上の容量を有する空き領域を、連続的な記録情報の記録再生が可能な空き領域として検出する。このため、この空き領域に対して選択的に記録情報の記録再生を行うことで、連続的な記録再生を可能とすることができる。
【００３３】
請求項２記載の本発明に係る記録再生方法は、記録時における記録媒体に対する記録情報の転送レートを「Ａ」、一時記憶手段へ記録する記録情報の転送レートを「Ｂ」、前記空き領域検出手段で検出された空き領域の容量を「ｍ」、前記記録領域のシークに要する時間を「Ｔ」として、「ｍ＞（Ａ×Ｂ×Ｔ）／（Ａ−Ｂ）」の容量以上の容量を有する空き領域を、連続的な記録情報の記録再生が可能な空き領域として検出する。このため、この空き領域に対して選択的に記録情報の記録再生を行うことで、連続的な記録再生を可能とすることができる。
【００３４】
請求項３記載の本発明に係る記録再生方法は、記録時及び再生時における記録媒体に対する記録情報の転送レートを「Ａ」、一時記憶手段へ記録する記録情報の転送レートを「Ｂ」、前記一時記憶手段の容量を「Ｃ」、前記空き領域検出手段で検出された空き領域の容量を「ｍ」、前記記録領域のシークに要する時間を「Ｔ」として、「Ｃ／Ｂ＞Ｔ」及び「ｍ＞（Ａ×Ｂ×Ｔ）／（Ａ−Ｂ）」の容量以上の容量を有する空き領域を、連続的な記録情報の記録再生が可能な空き領域として検出する。このため、この空き領域に対して選択的に記録情報の記録再生を行うことで、連続的な記録再生を確実に可能とすることができる。
【００３５】
請求項４記載の本発明に係る記録再生装置は、記録可能空き領域検出手段が、一時記憶手段へ記録する記録情報の転送レートを「Ｂ」、前記一時記憶手段の容量を「Ｃ」、前記記録領域のシークに要する時間を「Ｔ」として、「Ｃ／Ｂ＞Ｔ」の容量以上の容量を有する空き領域を、連続的な記録情報の記録再生が可能な空き領域として検出する。このため、この空き領域に対して選択的に記録情報の記録再生を行うことで、連続的な記録再生を可能とすることができる。
【００３６】
請求項５記載の本発明に係る記録再生装置は、記録可能空き領域検出手段が、記録時における記録媒体に対する記録情報の転送レートを「Ａ」、一時記憶手段へ記録する記録情報の転送レートを「Ｂ」、前記空き領域検出手段で検出された空き領域の容量を「ｍ」、前記記録領域のシークに要する時間を「Ｔ」として、「ｍ＞（Ａ×Ｂ×Ｔ）／（Ａ−Ｂ）」の容量以上の容量を有する空き領域を、連続的な記録情報の記録再生が可能な空き領域として検出する。このため、この空き領域に対して選択的に記録情報の記録再生を行うことで、連続的な記録再生を可能とすることができる。
【００３７】
請求項６記載の本発明に係る記録再生方法は、記録可能空き領域検出手段が、記録時及び再生時における記録媒体に対する記録情報の転送レートを「Ａ」、記録情報の転送レートを「Ｂ」、前記一時記憶手段の容量を「Ｃ」、前記空き領域検出手段で検出された空き領域の容量を「ｍ」、前記記録領域のシークに要する時間を「Ｔ」として、「Ｃ／Ｂ＞Ｔ」及び「ｍ＞（Ａ×Ｂ×Ｔ）／（Ａ−Ｂ）」の容量以上の容量を有する空き領域を、連続的な記録情報の記録再生が可能な空き領域として検出する。このため、この空き領域に対して選択的に記録情報の記録再生を行うことで、連続的な記録再生を確実に可能とすることができる。
【発明を実施するための最良の形態】
【００３８】
以下、本発明に係る記録再生方法及び記録再生装置の好ましい実施の形態について図面を参照しながら詳細に説明する。
【００３９】
図１には、本発明の記録再生方法及び記録再生装置が適用される実施の形態としての光ディスク装置の概略構成を示す。なお、当該実施の形態の光ディスク装置では、圧縮伸長技術として例えばＭＰＥＧ２を採用し、光ディスクの一例としてＤＶＤを挙げている。また、図１の構成では、いわゆるＤＶＤ装置等において通常設けられている多くの部分については省略している。
【００４０】
この図１において、光ディスク１は、例えば相変化材料からなる記録型の光ディスクであり、当該実施の形態では、例えばいわゆるＤＶＤ−ＲＷディスクを使用している。このＤＶＤ−ＲＷディスクは、ディスク内でセクタ（トラック）が螺旋状に配され、線速度一定（ＣＬＶ）で回転制御され、また、１６セクタで１ブロックが構成されている。
【００４１】
図２は、このような光ディスク１のセクタブロックを概念的に表しているのであるが、この図２からわかるように、内周側のエリアＥＡで４セクタブロック（１ブロックが８セクタ）、外周側のエリアＥＢで８セクタブロック（１ブロックが８セクタ）となっており、ディスク回転周期がエリアＥＡで４０ｍｓｅｃ、エリアＥＢで８０ｍｓｅｃ程度となっている。ただし、実際のＤＶＤは、上述したように１ブロックが１６セクタであるため、図２の例は実際とは異なる。
【００４２】
この光ディスク１は、図示しないチャッキング機構によってスピンドルモータ２に固定される。スピンドルモータ２は、ドライバ７により回転駆動され、チャッキング機構によってチャッキングされている光ディスク１を回転駆動する。また、このスピンドルモータ２は、ＦＧジェネレータと、ホール素子などの回転位置信号の検出手段とを備えている。このＦＧジェネレータからのＦＧ信号及びホール素子からの回転位置信号は、回転サーボ信号としてドライバ７を介してサーボ部８に帰還されるようになっている。
【００４３】
光学ヘッド３は、半導体レーザを光源とし、コリメータレンズ、対物レンズ等の光学系によって、光ディスク１の所定のトラック上にレーザスポットを形成し、また、２軸アクチュエータにて対物レンズを駆動することにより、レーザスポットのフォーカシング及びトラッキングを行う。半導体レーザはレーザ駆動回路により駆動され、２軸アクチュエータはドライバ７により駆動される。
【００４４】
キー入力部１０は、ユーザにより操作される複数のキーを備えており、ユーザからの記録開始や再生開始、記録停止、再生停止等を指示する各種のキー操作入力情報をシステムコントローラ９に供給するようになっている。
【００４５】
システムコントローラ９は、キー入力部１０からのキー操作入力情報として、記録開始や再生開始、記録停止、再生停止等の各種キー操作入力情報に応じて、例えば信号処理部５，サーボ部８，アンプ部４及びＡＶ符号化復号化部６等の各部のＬＳＩを制御する。
【００４６】
次に、再生を行う場合、キー入力部１０から再生開始の指令がなされ、システムコントローラ９は、当該指令に応じて後述するアンプ部４、サーボ部８及びドライバ７を制御する。具体的には、この再生時となると、まず、光ディスク１を回転制御すると共にレーザースポットを光ディスク１上に照射し、当該光ディスク１上の信号トラックに予め形成されているアドレス信号を読み取り、そのアドレス情報から再生すべき目的セクタ（トラック）を検出する。そして、その目的セクタ（トラック）上をレーザスポットで走査するように光学ヘッド３を移動制御する。この目的セクタへの移動が完了した後は、当該目的セクタからの信号再生を開始する。
【００４７】
この再生時において、アンプ部４は、光学ヘッド３により光ディスク１の目的セクタから再生されたＲＦ信号を増幅すると共に、このＲＦ信号から再生信号とトラッキング及びフォーカシングサーボ信号（トラッキングエラー及びフォーカスエラー信号）を形成する。
【００４８】
アンプ部４は、少なくとも再生信号の周波数特性を最適化するイコライザと、再生信号からビットクロックを抽出すると共に速度サーボ信号を形成するＰＬＬ器（位相ロックループ）と、このＰＬＬ器からのビットクロックと再生信号の時間軸との比較からジッタ成分を取り出すジッタ形成器とを備えており、前記ジッタ値をシステムコントローラ９に供給し、トラッキング及びフォーカシングサーボ信号及び速度サーボ信号をサーボ部８に、また、再生信号を信号処理部５に供給する。
【００４９】
サーボ部８は、アンプ部４からの速度サーボ信号、光学ヘッド３のフォーカシング及びトラッキングサーボ信号、及びスピンドルモータ２からの回転サーボ信号に基づいて、それぞれ対応する部位のサーボ制御を行う。具体的には、アンプ部４のＰＬＬ器がディスク回転速度に応じて形成した速度サーボ信号と、スピンドルモータ２からの回転サーボ信号とに基づいて、スピンドルモータ２を所定の回転速度で回転させるように、すなわち、光ディスク１を所定の一定線速度にて回転させるような回転速度サーボ制御信号を形成する。
【００５０】
なお、詳細については後述するが、当該実施の形態では、内部におけるデータ最大転送レートよりも速い記録速度（記録データ転送レート）／再生速度（再生データ転送レート）で光ディスク１の記録／再生を行うようになっている。このため、サーボ部８は、光ディスク１を当該記録速度／再生速度に合うような一定線速度にて回転させるための回転速度サーボ制御信号を形成する。また、サーボ
部８は、フォーカシング及びトラッキングサーボ信号に基づいて、光学ヘッド３が光ディスク１上に正確にフォーカシング及びトラッキングするための光学ヘッドサーボ制御信号を形成する。
【００５１】
これら回転速度サーボ制御信号と光学ヘッドサーボ制御信号は、ドライバ７に送られる。なお、これ以降、光ディスク１の記録速度（記録データ転送レート）を記録レートと呼び、光ディスク１の再生速度（再生データ転送レート）を再生レートと呼ぶことにする。
【００５２】
ドライバ７は、サーボ部８からの回転速度サーボ制御信号に応じてスピンドルモータ２を回転駆動すると共に、光学ヘッドサーボ制御信号に応じて光学ヘッド３の２軸アクチュエータを駆動する。当該実施の形態においては、当該ドライバ７が回転速度サーボ制御信号に応じてスピンドルモータ２を駆動することにより、光ディスク１を所定の線速度にて回転させ、また、当該ドライバ７が光学ヘッドサーボ制御信号に応じて光学ヘッド３の２軸アクチュエータを駆動することにより、光ディスク上でのレーザスポットのフォーカシング及びトラッキングが行われる。
【００５３】
この再生時における信号処理部５は、アンプ部４より供給された再生信号をＡ／Ｄ（アナログ／デジタル）変換し、このＡ／Ｄ変換により得られたデジタル信号から同期検出を行うと共に、このデジタル信号に施されているいわゆるＥＦＭ＋信号（８−１６変調信号）からＮＲＺ（Non Return to Zero）データへのデコードを行い、さらにエラー訂正処理を行って、光ディスク１上のセクタのアドレスデータと再生データとを得る。信号処理部５にて得られたアドレスデータと同期信号はシステムコントローラ９に供給される。
【００５４】
ここで、前記再生データは、ＭＰＥＧの可変転送レートで圧縮符号化されたデータであるため、当該実施の形態の光ディスク装置では、この再生データを例えば６４ＭビットのＤＲＡＭ（トラックバッファ７）に一時的に記憶させ、このトラックバッファ７の書き込み／読み出しを制御することで、その再生データの可変転送レートの時間変動分を吸収するようにしている。
【００５５】
なお、当該実施の形態にて使用するトラックバッファとは、圧縮したデータを一時記憶するバッファメモリのことを示しており、例えばＤＶＤにおいて一般的に備えられている可変転送レートを吸収するためのバッファメモリや、ＭＰＥＧのエンコードやデコード時に用いるバッファメモリを含む。
【００５６】
このトラックバッファ７の記憶容量及び記憶領域の管理、書き込み／読み出し制御は、信号処理部５を介して例えばシステムコントローラ９が行う。なお、データの圧縮符号化、データ再生時におけるトラックバッファ７の管理及び制御の動作の詳細については後述する。また、これ以降、トラックバッファ７への書き込みの速度（書き込みデータ転送レート）を書込レートと呼び、読み出しの速度（読み出しデータ転送レート）を読出レートと呼ぶことにする。当該トラックバッファ７から読み出された再生データは、信号処理部５を介してＡＶ符号化復号化部（Ａ−Ｖ  ＥＮＤＥＣ）６に供給される。
【００５７】
次に、この再生時におけるＡＶ符号化復号化部６は、トラックバッファ７から読み出された再生データがＭＰＥＧ２にて圧縮符号化され、かつ、オーディオデータとビデオデータが多重化されたデータであるため、多重化された圧縮オーディオデータと圧縮ビデオデータを分離すると共に、それぞれをＭＰＥＧ２にて伸長復号化処理し、さらにＤ／Ａ（デジタル／アナログ）変換して、オーディオ信号及びビデオ信号として端子１１から出力する。この端子１１から出力されたビデオ信号は、図示しないＮＴＳＣ（National Television System Committee）エンコーダ等にて処理されてモニタ装置に表示され、オーディオ信号は、図示しないスピーカ等に送られて放音される。
【００５８】
なお、この再生時におけるＡＶ符号化復号化部６での伸長復号化の速度（伸長復号化時のデータ転送レート、以下、伸長レートと呼ぶことにする）は、記録時に設定された後述する記録モードに応じた伸長レートとなされる。言い換えると、ＡＶ符号化復号化部６は、複数の伸長レートに応じた伸長復号化処理が可能となされており、記録時に設定された記録モードに応じて当該伸長レートを決定し、そのレートで伸長復号化を行う。この記録モードの情報は、コントロールデータとして記録データと共に光ディスク１に記録されており、当該コントロールデータが光ディスク１の再生時に読み出されてシステムコントローラ９に送られ、システムコントローラ９がこのコントロールデータに基づいてＡＶ符号化復号化部６の伸長レートを設定する。Ｄ／Ａ変換は、当該ＡＶ符号化復号化部６の外部で行うことも可能である。
【００５９】
次に、光ディスク１に記録を行う場合、ユーザは、キー入力部１０を介して記録開始の指令を行う。システムコントローラ９は、この指令を検出すると、まず、光ディスク１を回転制御すると共に、レーザースポットを光ディスク１上に照射させ、光ディスク１上の信号トラックに予め形成されているアドレス信号を読み取り、そのアドレス情報から記録するべき目的セクタ（トラック）を検出する。そして、その目的セクタ（トラック）上にレーザスポットが位置するように光学ヘッド３を移動制御する。
【００６０】
この記録時には、記録すべきオーディオ及びビデオ信号が端子１１を介して入力されており、これら信号はＡＶ符号化復号化部６に供給される。ＡＶ符号化復号化部６は、このオーディオ信号及びビデオ信号をＡ／Ｄ変換し、１６Ｍビットのトラックバッファ８に対して書き込み及び読み出し制御しながら後述する記録モードに応じた転送速度に対応してＭＰＥＧ２の圧縮技術を用いて圧縮符号化処理を施し、さらにそれらを多重化して信号処理部５に供給する。
【００６１】
なお、当該実施の形態におけるトラックバッファ８は、１６Ｍビットであることとしたが、これは、６４Ｍビットの容量を有するものを設けてもよい。また、Ａ／Ｄ変換は、ＡＶ符号化復号化部６の外部で行うようにしてもよい。
【００６２】
また、以下、このＡＶ符号化復号化部６における圧縮符号化の速度（圧縮符号化時のデータ転送レート）を圧縮レートと呼ぶことにする（すなわち、ＡＶ符号化復号化部６は、記録モードに応じた複数の圧縮レートで圧縮符号化処理を行うこととなる。）。
【００６３】
次に、この記録時における信号処理部５は、ＡＶ符号化復号化部６からのデータを６４Ｍビットのトラックバッファ７に一旦記憶制御し、これを光ディスク１への記録レートに応じた読出レートで当該トラックバッファ７から読み出してエラー訂正符号を付加すると共に、ＮＲＺとＥＦＭ＋のエンコード処理を施し、さらにシステムコントローラ９から供給される同期信号を付加して記録データを形成する。なお、この記録時におけるトラックバッファ７の記憶容量及び記憶領域の管理、書き込み／読み出し制御の詳細については後述する。
【００６４】
このトラックバッファ７から読み出された記録データは、信号処理部５にてＤ／Ａ変換され、記録信号としてアンプ部３に供給され、光学ヘッド３で光ディスク１上の目的セクタ（トラック）に記録される。
【００６５】
このときのシステムコントローラ９は、アンプ部４からのジッタ値をＡ／Ｄ変換して測定し、この測定ジッタ値に従って、記録時のアンプ部４における波形補正量を変更する。すなわち、光ディスク１に信号を記録する場合、アンプ部４では、信号処理部５からの信号を波形補正し、この波形補正した信号を光学ヘッド３のレーザ駆動回路へ供給するようになっている。
【００６６】
次に、記録／再生する際に設定される記録モードと、ＡＶ符号化復号化部６における圧縮／伸長レート、光ディスクの記録／再生レート及びトラックバッファ７の書込／読出レートの説明をする。
【００６７】
当該実施の形態では、入力される原画像信号或いは出力される再生画像信号の入力／出力レートは例えば１０Ｍｂｐｓとなっており、また、この記録／再生レートに対応して、ＡＶ符号化復号化部６における圧縮／伸長レートは、「８Ｍｂｐｓ」，「４Ｍｂｐｓ」及び「２Ｍｂｐｓ」の計３つの圧縮／伸長レートを選択可能となっている。
【００６８】
８Ｍｂｐｓの圧縮／伸長レートを選択した場合には、光ディスクに対して２時間分の記録／再生が可能となり（高品位記録モード）、４Ｍｂｐｓの圧縮／伸長レートを選択した場合には、光ディスクに対して４時間分の記録／再生が可能となり（やや高品位なモード＝中品位記録モード）、２Ｍｂｐｓの圧縮／伸長レートを選択した場合には、光ディスクに対して８時間分の記録／再生が可能となっている（普通品位記録モード）。なお、各記録モードにおいて、固定転送レート（ＣＢＲ）又は可変転送レート（ＶＢＲ）も選択可能となっている。
【００６９】
また、例えば記録したい画像の解像度の設定や、カーレース等のスピードの速いシーン等を撮り分ける場合の設定や、記録時間優先で記録を行うための設定も可能となっており、これら各設定を行うことで光ディスクの記録時間を変更可能となっている。
【００７０】
画質優先の記録モードの選択や記録時間優先の設定は、キー入力部１０に設けられた選択キーをユーザが操作、或いは、入力端子１２からそれら選択や設定を行うための制御データを入力することにより行われる。これらキー入力部１０からの入力情報、或いは入力端子１２からの制御データは、システムコントローラ９に供給されるようになっており、システムコントローラ９は、その選択或いは設定内容に基づいて各部を制御するようになっている。
【００７１】
ＡＶ符号化復号化部６は、選択された記録モードや記録時間の設定に応じた圧縮／伸長レートとなるようなＭＰＥＧ圧縮符号化／伸長復号化を行い得る構成となっており、システムコントローラ９からの制御により、当該圧縮／伸長レートに応じた圧縮符号化／伸長復号化処理を行う。
【００７２】
すなわち、ユーザによりキー入力部１０或いは入力端子１２から記録モードの選択や記録時間の設定入力がなされた場合、システムコントローラ９は、その入力内容に応じて、ＡＶ符号化復号化部６を制御してＭＰＥＧの圧縮符号化／伸長復号化における圧縮／伸長レートを設定する。このときシステムコントローラ９は、同時に、その記録モードの選択や記録時間の設定に応じて、６４Ｍビットのトラックバッファ７の容量管理及び書き込み／読み出し制御、並びに書込／読出レートの設定をも行う。
【００７３】
以下、本実施の形態の光ディスク装置において、光ディスク１に信号を記録する場合の、記録モード及びＡＶ符号化復号化部６の圧縮レート、トラックバッファ７の容量管理及び書き込み／読み出し制御及び書込／読出レートの動作について説明する。
【００７４】
記録時において、ユーザによりキー入力部１０或いは入力端子１２から記録モードの選択や記録時間の設定入力がなされると、システムコントローラ９は、まず、信号処理部５を介してトラックバッファ７の残記憶容量を確認し、また、その記録モードの選択や記録時間の設定入力された情報に従って、図３〜図５に示すように、当該トラックバッファ７の所定の上限容量（フル：ＦＵＬＬ）と下限容量（エンプティ：ＥＭＰＴＹ）の値をそれぞれ設定する。なお、図３〜図５の詳細については後述する。
【００７５】
次に、システムコントローラ９は、ＡＶ符号化復号化部６を制御し、記録モードの選択や記録時間の設定入力に応じた圧縮レートにて圧縮符号化処理を行わせ、その圧縮レートの圧縮符号化データを所定の記録単位にして、当該圧縮レートと同じ書込レートでトラックバッファ７に一時的に書き込ませる。これと同時に、システムコントローラ９は、サーボ部８を制御することで、光学ヘッド３を光ディスク１上の所望の記録すべきトラック（セクタ）上で待機状態（キック状態）に制御する。なお、このときＡＶ符号化復号化部６での圧縮符号化処理は続行させ、トラックバッファ７への書き込みも続ける。
【００７６】
この状態にてトラックバッファ７への書き込みを続けることで、当該トラックバッファ７の残記憶容量が所定の上限容量（フル）の値になったとき、システムコントローラ９は、当該トラックバッファ７からデータを読み出し制御して信号処理部５に供給する。また、この状態のときは、トラックバッファ７からの読み出しと同時に書き込みも続行させる。ただし、このときトラックバッファ７からの読出レートは、光ディスク１への記録レートと同じレートとされる。光ディスク１の記録レートは、ＡＶ符号化復号化部６における最大圧縮レートよりも高速であるため、当該トラックバッファ７において書き込みと読み出しを同時に行った場合は、徐々にデータ蓄積量が減少していくこととなる。
【００７７】
信号処理部５は、光ディスク１の記録レートと同じ読出レートでトラックバッファ７から読み出された圧縮符号化データにエラー訂正符号を付加し、更にアドレスや同期信号を付加して、アンプ部４に供給する。当該アンプ部４からの信号はさらに光学ヘッド３に供給されることとなる。このとき、システムコントローラ９によって光学ヘッド３の待機状態を解除する。これにより、光ディスク１に対して信号が記録されることとなる。
【００７８】
次に、トラックバッファ７のデータ蓄積量が徐々に減少し、残記憶容量が下限容量（エンプティ）の値になったとき、システムコントローラ９は、次に記録すべきトラック（セクタ）上で待機状態（キック状態）となるようにサーボ部８を介して光学ヘッド３を制御すると共に、トラックバッファ７からの読み出しを停止制御する。そして、トラックバッファ７の残記憶容量が上限容量（フル）の値となるまで待つ。トラックバッファ７の残記憶容量が上限容量まで回復すると、システムコントローラ９は、トラックバッファ７からの読み出しを再開し、光学ヘッド３の待機状態を解除する。このような動作を繰り返し実行することで、光ディスク１に対して連続的な記録が行われることになる。
【００７９】
以下、図３〜図５を用いて、光ディスク１の記録時における、トラックバッファ７の容量管理及び書き込み／読み出し制御、及び書込／読出レートの制御の様子を詳細に説明する。
【００８０】
図３〜図５は、光ディスク１の記録時におけるトラックバッファ７の書き込み／読み出し制御、書込／読出レートの変化、及び、その容量変化の様子を示している。図３はＡＶ符号化復号化部６における圧縮レートが２Ｍｂｐｓ（トラックバッファ７の書込レートが２Ｍｂｐｓ）の場合を示し、図４は圧縮レート（書込レート）が４Ｍｂｐｓの場合を、図５は圧縮レート（書込レート）が８Ｍｂｐｓの場合を示している。
【００８１】
また、この図３〜図５に示すＡ領域は、記録開始時において記憶容量が初期値０となっているトラックバッファ７に対してデータの書き込みが開始されてから、所定の上限容量（フル）までデータが書き込まれるまでの期間を示している。このＡ領域では、トラックバッファ７からの読み出しと光ディスク１への記録は行われず、光学ヘッド３は光ディスク１上の所望のトラック（セクタ）上で待機状態となっている。
【００８２】
図３〜図５に示すＢ領域は、所定の上限容量（フル）になっているトラックバッファ７からデータの読み出しが開始されてから、所定の下限容量（エンプティ）までデータが読み出されるまでの期間を示している。このＢ領域では、トラックバッファ７の読み出しと書き込みが同時に行われ、また、光ディスク１への記録も同時に行われる。
【００８３】
図３〜図５に示すＣ領域では、下限容量（エンプティ）となっているトラックバッファ７に対してデータが書き込まれることで、トラックバッファ７の容量が所定の上限容量（フル）となるまでの期間を示している。このＣ領域では、トラックバッファ７からの読み出しと光ディスク１への記録は行われず、光学ヘッド３は光ディスク１上の所望のトラック（セクタ）上で待機状態となっている。
【００８４】
図３〜図５に示すＤ領域は、Ｂ領域と同様に、トラックバッファ７の上限容量（フル）から下限容量（エンプティ）までデータの読み出しと同時に書き込みが行われる期間を示している。この間は、光ディスク１への記録も同時に行われる。
【００８５】
以下、それぞれ具体的に説明すると、圧縮レート（書込レート）が２Ｍｂｐｓの場合を示す図３において、Ａ領域では、トラックバッファ７に対して２Ｍｂｐｓの書込レートで所定の上限容量（フル）までデータが書き込まれるが、トラックバッファ７からの読み出しと光ディスク１への記録は行われず、光学ヘッド３は所望のトラック（セクタ）上で待機状態となっている。
【００８６】
Ｂ領域では、前述したように光ディスク１への記録レートが１０Ｍｂｐｓとなっているため、その記録レートと同じ１０Ｍｂｐｓの読出レートで当該トラックバッファ７からデータが読み出される。なお、このＢ領域では、トラックバッファ７に対して２Ｍｂｐｓの書込レートで書き込みが続行されているため、当該トラックバッファ７からは、１０（Ｍｂｐｓ）−２（Ｍｂｐｓ）＝８（Ｍｂｐｓ）のレートに相当する速度で、徐々にデータ蓄積量が減少していくことになる。
【００８７】
このＢ領域にて徐々にデータ蓄積量が減少することで、トラックバッファ７の残記憶容量が所定の下限容量（エンプティ）まで減少した後の、Ｃ領域では、Ａ領域の場合と同様に、トラックバッファ７に対して２Ｍｂｐｓの書込レートで所定の上限容量までデータの書き込みのみが行われ、光ディスク１への記録は行われず、光学ヘッド３は所望のトラック（セクタ）上で待機状態となる。Ｄ領域についてはＢ領域と同様である。
【００８８】
次に、圧縮レート（書込レート）が４Ｍｂｐｓの場合を示す図４において、Ａ領域では、トラックバッファ７に対して４Ｍｂｐｓの書込レートで所定の上限容量までデータが書き込まれるが、トラックバッファ７からの読み出しと光ディスク１への記録は行われず、光学ヘッド３は所望のトラック上で待機状態となっている。
【００８９】
Ｂ領域では、光ディスク１への記録レートが１０Ｍｂｐｓとなっているため、その記録レートと同じ１０Ｍｂｐｓの読出レートで当該トラックバッファ７からデータが読み出される。なお、この図４の場合、Ｂ領域では、トラックバッファ７に対して４Ｍｂｐｓの書込レートで書き込みが続行されているため、当該トラックバッファ７からは、１０（Ｍｂｐｓ）−４（Ｍｂｐｓ）＝６（Ｍｂｐｓ）のレートに相当する速度で、徐々にデータ蓄積量が減少していくことになる。
【００９０】
このＢ領域にて徐々にデータ蓄積量が減少することで、トラックバッファ７の残記憶容量が所定の下限容量まで減少した後の、Ｃ領域では、Ａ領域の場合と同様に、トラックバッファ７に対して４Ｍｂｐｓの書込レートで所定の上限容量までデータの書き込みのみが行われ、光ディスク１への記録は行われず、光学ヘッド３は所望のトラック（セクタ）上で待機状態となる。Ｄ領域についてはＢ領域と同様である。
【００９１】
次に、圧縮レート（書込レート）が８Ｍｂｐｓの場合を示す図５において、Ａ領域では、トラックバッファ７に対して８Ｍｂｐｓの書込レートで所定の上限容量までデータが書き込まれるが、トラックバッファ７からの読み出しと光ディスク１への記録は行われず、光学ヘッド３は所望のトラック上で待機状態となっている。
【００９２】
Ｂ領域では、光ディスク１への記録レートが１０Ｍｂｐｓとなっているため、その記録レートと同じ１０Ｍｂｐｓの読出レートで当該トラックバッファ７からデータが読み出される。なお、この図５の場合、Ｂ領域では、トラックバッファ７に対して８Ｍｂｐｓの書込レートで書き込みが続行されているため、当該トラックバッファ７からは、１０（Ｍｂｐｓ）−８（Ｍｂｐｓ）＝２（Ｍｂｐｓ）のレートに相当する速度で、徐々にデータ蓄積量が減少していくことになる。
【００９３】
このＢ領域にて徐々にデータ蓄積量が減少することで、トラックバッファ７の残記憶容量が所定の下限容量まで減少した後の、Ｃ領域では、Ａ領域の場合と同様に、トラックバッファ７に対して８Ｍｂｐｓの書込レートで所定の上限容量までデータの書き込みのみが行われ、光ディスク１への記録は行われず、光学ヘッド３は所望のトラック（セクタ）上で待機状態となる。Ｄ領域についてはＢ領域と同様である。
【００９４】
このように、当該実施の形態によれば、光ディスク１への信号記録時に、ＡＶ符号化復号化部６での圧縮レート（トラックバッファ７の書込レート）が、光ディスク１への記録レートである１０Ｍｂｐｓに対して、２Ｍｂｐｓ、４Ｍｂｐｓ、８Ｍｂｐｓと低く設定してあるため、Ａ領域或いはＣ領域の待機状態（光ディスク１への記録待機状態）において、転送レートの差分を吸収して、記録する情報の連続性を確保した記録を行うことができる。
【００９５】
次に、当該実施の形態の光ディスク装置において、光ディスク１から信号を再生する場合の、記録モード及びＡＶ符号化復号化部６での伸長レート、トラックバッファ７の容量管理及び書き込み／読み出し制御及び書込／読出レートの動作について説明する。
【００９６】
まず、再生時となると、システムコントローラ９は、サーボ部８を制御して、光学ヘッド３を光ディスク１上の所定のトラック上に移動制御し、所定のトラックから開始セクタのデータを読み出し制御する。この開始セクタには、コントロールデータが含まれている。このコントロールデータには、記録時の記録モードに関する情報、すなわち例えばＡＶ符号化復号化部６における伸長レート（記録時における圧縮レートと同じレート）の情報等が含まれている。
【００９７】
システムコントローラ９は、このコントロールデータの伸長レートの情報に基づいて、図６〜図８に示すようにトラックバッファ７の所定の上限容量（フル：ＦＵＬＬ）と下限容量（エンプティ：ＥＭＰＴＹ）の値をそれぞれ設定する。また、信号処理部７を介してトラックバッファ７の残記憶容量を確認する。なお、図６〜図８の詳細については後述する。
【００９８】
また、システムコントローラ９は、サーボ部８を制御することで、光学ヘッド３により光ディスク１上の所望のトラックから、記録時の記録レートと同じ再生レートで信号を読み出し制御し、更に信号処理部５を介して再生データにエラー訂正処理等を施すと共に、トラックバッファ７に対してデータの書き込みを開始制御する。このときのトラックバッファ７への書込レートは、光ディスク１の再生レートと同じレートとなる。
【００９９】
次に、システムコントローラ９は、このトラックバッファ７に対してデータの書き込みを行うことで、該トラックバッファの容量が所定の下限容量（エンプティ）の値を越えたことを検出すると、トラックバッファ７からデータの読み出しを開始制御する。このトラックバッファ７から読み出されたデータは、ＡＶ符号化復号化部６に供給される。
【０１００】
なお、このときのトラックバッファ７からの読出レートは、先にコントロールデータに基づいて検出した伸長レートと同じレートとなる。また、システムコントロール９は、トラックバッファ７に対して読み出しと同時に書き込みも続行する。
【０１０１】
トラックバッファ７の書込レートは光ディスク１からの再生レートと同じであり、一方でトラックバッファ７の読出レートはＡＶ符号化復号化部６の伸長レートと同じになされており、光ディスク１の再生レート（メモリの書込レート）はＡＶ符号化復号化部６における最大伸長レート（メモリの読出レート）よりも高速であるため、当該トラックバッファ７において書き込みと読み出しを同時に行ったとしても、徐々にデータ蓄積量は増加していくことになる。
【０１０２】
ＡＶ符号化復号化部６は、トラックバッファ７から読み出されたデータを、先にコントロールデータに基づいて検出した伸長レートで伸長復号化し、さらにオーディオデータとビデオデータを分離し、Ｄ／Ａ変換してそれぞれを出力する。
【０１０３】
また、この状態にてトラックバッファ７への書き込みと読み出しを続けることで、トラックバッファ７の残記憶容量が所定の上限容量（フル）の値になった場合、システムコントローラ９は、次に再生すべきトラック（セクタ）上で待機状態（キック状態）となるようにサーボ部８を介して光学ヘッド３を移動制御する。同時に、システムコントロール９は、トラックバッファ７に対する書き込みを停止制御し、読み出しのみ続行させる。これにより、トラックバッファ７のデータ蓄積量は徐々に減少していくこととなる。
【０１０４】
次に、システムコントローラ９は、トラックバッファ７のデータ蓄積量が徐々に減少し、残記憶容量が下限容量（エンプティ）の値になると、次に再生すべきトラックの再生を開始するように、サーボ部８を介して光学ヘッド３を制御すると共に、これにより光ディスク１から再生されたデータの書き込みを再開するようにトラックバッファ７を書き込み制御する。
【０１０５】
その後は、トラックバッファ７の残記憶容量が上限容量まで達した時点で、光学ヘッド３を待機状態に制御し、かつ、トラックバッファ７への書き込みを停止制御する。このような動作を繰り返し実行することで、一連の記録情報を連続的に再生することができる。
【０１０６】
次に、図６〜図８を用いて、光ディスク１の再生時における、トラックバッファ７の容量管理及び書き込み／読み出し制御、及び書込／読出レートの制御を詳細に説明する。この図６〜図８は、光ディスク１の再生時におけるトラックバッファ７の書き込み／読み出し制御、書込／読出レートの変化、及び、その容量変化の様子を示している。
【０１０７】
図６はＡＶ符号化復号化部６における伸長レートが２Ｍｂｐｓ（トラックバッファ７の読出レートが２Ｍｂｐｓ）の場合、図７は伸長レート（読出レート）が４Ｍｂｐｓの場合を、また、図８は伸長レート（読出レート）が８Ｍｂｐｓの場合をそれぞれ示している。
【０１０８】
また、図６〜図８中のａ領域は、再生開始時において記憶容量が初期値０となっているトラックバッファ７へデータの書き込みが開始されてから、所定の下限容量（エンプティ）までデータが書き込まれるまでの期間を示している。このａ領域では、ＡＶ符号化復号化部６での伸長復号化は行われず、光ディスク１から再生されたデータをトラックバッファ７へ書き込むことのみが行われる。
【０１０９】
図６〜図８中のｂ領域は、トラックバッファ７の残記憶容量が下限容量（エンプティ）に達した後、上限容量（フル）になるまでの期間を示している。なお、このｂ領域では、トラックバッファ７への再生データの書き込みと同時に読み出しも行われ、かつ、ＡＶ符号化復号化部６において伸長復号化も開始される。
【０１１０】
図６〜図８中のｃ領域は、残記憶容量が上限容量（フル）に達した後、当該トラックバッファ７への書き込みが停止され、下限容量（エンプティ）までデータが読み出されるまでの期間を示している。このｃ領域では、光学ヘッド３は光ディスク１上の所望のトラック（セクタ）上で待機状態となっており、トラックバッファ７からは読み出しのみが行われる。
【０１１１】
図６〜図８中のｄ領域は、ｂ領域と同様に下限容量（エンプティ）から上限容量（フル）になるまでの期間を示している。このｄ領域では、トラックバッファ７への再生データの書き込みと同時に読み出しが行われ、かつ、ＡＶ符号化復号化部６において伸長復号化も行われている。
【０１１２】
図６〜図８中のｅ領域は、ｃ領域と同じであり、ｆ領域はｄ領域と、ｇ領域はｃ又はｅ領域と同じである。
【０１１３】
以下、それぞれ具体的に説明すると、伸長レート（読出レート）が２Ｍｂｐｓの場合を示す図６において、ａ領域では、光ディスク１から１０Ｍｂｐｓの再生レートでデータが再生され、トラックバッファ７には同じく１０Ｍｂｐｓの書込レートでデータが書き込まれる。このときのトラックバッファ７からはデータの読み出しは行われない。
【０１１４】
ｂ領域では、光ディスク１から１０Ｍｂｐｓの再生レートでデータが再生され、トラックバッファ７にも同じく１０Ｍｂｐｓの書込レートでデータが書き込まれると同時に、当該トラックバッファ７からはＡＶ符号化復号化部６における伸長レートの２Ｍｂｐｓと同じ読出レートでデータの読み出しが開始される。このｂ領域では、トラックバッファ７から２Ｍｂｐｓの読出レートで読み出しを行うが、１０Ｍｂｐｓの書込レートで書き込みが続行されているため、当該トラックバッファ７には、１０（Ｍｂｐｓ）−２（Ｍｂｐｓ）＝８（Ｍｂｐｓ）のレートに相当する速度で、徐々にデータ蓄積量が増加していくことになる。
【０１１５】
ｃ領域では、光ディスク１からのデータ再生が停止され、光学ヘッド３は所望のトラック（セクタ）上で待機状態となり、トラックバッファ７への書き込みも停止する。このため、ｃ領域では、当該トラックバッファ７から２Ｍｂｐｓの読出レートで徐々にデータ蓄積量が減少していくことになる。なお、このときＡＶ符号化復号化部６では伸長復号化を続ける。
【０１１６】
ｄ領域はｂ領域と同様であり、ｅ領域はｃ領域と、ｆ領域はｄ領域と、ｇ領域はｃ又はｅ領域と同様であるため説明は省略する。
【０１１７】
次に、伸長レート（読出レート）が４Ｍｂｐｓの場合を示す図７において、ａ領域では、光ディスク１からは１０Ｍｂｐｓの再生レートでデータが再生され、トラックバッファ７には１０Ｍｂｐｓの書込レートでデータが書き込まれ、当該トラックバッファ７からはデータの読み出しは行われない。
【０１１８】
ｂ領域では、光ディスク１から１０Ｍｂｐｓの再生レートでデータが再生され、トラックバッファ７にも１０Ｍｂｐｓの書込レートでデータが書き込まれると同時に、当該トラックバッファ７からはＡＶ符号化復号化部６における伸長レートの４Ｍｂｐｓと同じ読出レートでデータの読み出しが開始される。このｂ領域では、トラックバッファ７から４Ｍｂｐｓの読出レートで読み出しを行うが、１０Ｍｂｐｓの書込レートで書き込みが続行されているため、当該トラックバッファ７には、１０（Ｍｂｐｓ）−４（Ｍｂｐｓ）＝６（Ｍｂｐｓ）のレートに相当する速度で、徐々にデータ蓄積量が増加していくことになる。
【０１１９】
ｃ領域では、光ディスク１からのデータ再生が停止され、光学ヘッド３は所望のトラック（セクタ）上で待機状態となり、トラックバッファ７への書き込みも停止する。このため、ｃ領域では、当該トラックバッファ７から４Ｍｂｐｓの読出レートで徐々にデータ蓄積量が減少していくことになる。なお、このときＡＶ符号化復号化部６では伸長復号化を続ける。
【０１２０】
ｄ領域はｂ領域と同様であり、ｅ領域はｃ領域と、ｆ領域はｄ領域と、ｇ領域はｃ又はｅ領域と同様であるため説明は省略する。
【０１２１】
次に、伸長レート（読出レート）が８Ｍｂｐｓの場合を示す図８において、ａ領域では、光ディスク１からは１０Ｍｂｐｓの再生レートでデータが再生され、トラックバッファ７には１０Ｍｂｐｓの書込レートでデータが書き込まれ、当該トラックバッファ７からはデータの読み出しは行われない。
【０１２２】
ｂ領域では、光ディスク１から１０Ｍｂｐｓの再生レートでデータが再生され、トラックバッファ７にも１０Ｍｂｐｓの書込レートでデータが書き込まれると同時に、当該トラックバッファ７からはＡＶ符号化復号化部６における伸長レートの８Ｍｂｐｓと同じ読出レートでデータの読み出しが開始される。このｂ領域では、トラックバッファ７から８Ｍｂｐｓの読出レートで読み出しを行うが、１０Ｍｂｐｓの書込レートで書き込みが続行されているため、当該トラックバッファ７には、１０（Ｍｂｐｓ）−８（Ｍｂｐｓ）＝２（Ｍｂｐｓ）のレートに相当する速度で、徐々にデータ蓄積量が増加していくことになる。
【０１２３】
ｃ領域では、光ディスク１からのデータ再生が停止され、光学ヘッド３は所望のトラック（セクタ）上で待機状態となり、トラックバッファ７への書き込みも停止する。このため、ｃ領域では、当該トラックバッファ７から８Ｍｂｐｓの読出レートで徐々にデータ蓄積量が減少していくことになる。なお、このときＡＶ符号化復号化部６では伸長復号化を続ける。
【０１２４】
ｄ領域はｂ領域と同様であり、ｅ領域はｃ領域と、ｆ領域はｄ領域と、ｇ領域はｃ又はｅ領域と同様であるため説明は省略する。
【０１２５】
このように、当該実施の形態によれば、光ディスク１からの信号再生時に、ＡＶ符号化復号化部６での伸長レート（トラックバッファ７の読出レート）が、光ディスク１への再生レートである１０Ｍｂｐｓに対して、２Ｍｂｐｓ、４Ｍｂｐｓ、８Ｍｂｐｓと低く設定してあるため、ｃ領域或いはｅ，ｇ領域の待機状態（光ディスク１からの再生待機状態）に、各転送レートの差分を吸収することができ、一連の記録情報を連続的に再生することができる。
【０１２６】
次に、当該実施の形態の光ディスク装置は、上述したような構成及び動作を基本として、さらに以下に説明するようなマルチ記録モードによる圧縮符号化／伸長復号化のテスト動作が可能となされている。なお、以下、マルチ記録モードによる圧縮符号化／伸長復号化のテストを、第１のテストモードと呼ぶことにする。
【０１２７】
すなわち、当該実施の形態では、上述の８Ｍｂｐｓ，４Ｍｂｐｓ，２Ｍｂｐｓの各圧縮／伸長レートでの圧縮符号化／伸長復号化による画質（記録品位）を確認可能とするために、例えば一つの画像信号を用いてそれぞれ８Ｍｂｐｓ，４Ｍｂｐｓ，２Ｍｂｐｓの圧縮レートにて時分割しながら圧縮符号化を行い、それら時分割された各圧縮レートの圧縮データを、それら各圧縮レートに対応してトラックバッファ７上に設けられた各分割記憶領域に順次書き込むようにし、その後、これら分割記憶領域に記憶された各圧縮レートの圧縮データをそれぞれ対応する伸長レートにて読み出して伸長復号化を行い、モニタ装置等に表示することが可能となっている。
【０１２８】
このマルチ記録モードによる圧縮符号化／伸長復号化によれば、元々同じ画質であった一つの画像信号を、異なる圧縮レートで圧縮符号化してトラックバッファ７上のそれぞれ異なる記憶領域に記憶することができるため、トラックバッファ７に別々に記憶された圧縮データを読み出してそれぞれ伸長復号化することにより、各圧縮／伸長レートによる圧縮符号化／伸長復号化後の画質を比較することができ、実際に光ディスク１に記録を行う前に、テスト的に圧縮／伸長レートを決定、すなわち記録モードを決定する事を可能とすることができる。
【０１２９】
このようなマルチ記録モードによる圧縮符号化／伸長復号化のテスト動作（第１のテストモード）を実現する場合、本実施の形態の光ディスク装置では、以下のように動作する。
【０１３０】
まず、第１のテストモードが指定されたことを示す、キー入力部１０からのキー操作入力情報、或いは入力端子１２からの制御データが供給されると、システムコントローラ９は、ＡＶ符号化復号化部６の符号化部（ＭＰＥＧエンコーダ）をこの第１のテストモードに設定する。
【０１３１】
第１のテストモードに設定されたＡＶ符号化復号化部６は、記録すべき画像信号として供給された一つの画像データを、上述の８Ｍｂｐｓ，４Ｍｂｐｓ，２Ｍｂｐｓの圧縮レートで時分割しながら圧縮符号化処理する。
【０１３２】
すなわち、ＡＶ符号化復号化部６では、ワークＲＡＭとしてのトラックバッファ８を用いて、それぞれＭＰＥＧにおける一つのＧＯＰ（group  of  picture）単位の各圧縮レートの圧縮データを時分割で形成する。なお、ＭＰＥＧ規格は既に公知なものであるため、詳細な説明は省略するが、ＧＯＰとは、一つ或いは複数のＩピクチャと、０或いは複数のＰピクチャやＢピクチャとからなる、ＭＰＥＧの単位である。これらの各圧縮レートの圧縮データは、システムコントローラ９の制御に基づき、トラックバッファ７の各分割記憶領域に、それぞれ記憶される。
【０１３３】
例えば、画像データのデータ配列をＤ１，Ｄ２，Ｄ３，・・・とし、８Ｍｂｐｓの圧縮レートに対応する圧縮データを８Ｄ１，８Ｄ２，８Ｄ３，・・・、４Ｍｂｐｓの圧縮レートに対応する圧縮データを４Ｄ１，４Ｄ２，４Ｄ３，・・・、２Ｍｂｐｓの圧縮レートに対応する圧縮データを２Ｄ１，２Ｄ２，２Ｄ３，・・・とし、また、８Ｍｂｐｓ，４Ｍｂｐｓ，２Ｍｂｐｓの各レートに対応するトラックバッファ７上の各分割記憶領域をそれぞれ８Ｍｂｐｓ領域、４Ｍｂｐｓ領域、２Ｍｂｐｓ領域とした場合、システムコントローラ９は、図９に示すようにトラックバッファ７の各分割記憶領域にアドレッシングを行いながら、各レートの圧縮データをそれぞれ振り分けて記憶制御し、図１０に示すようにトラックバッファ７の１００％記憶容量に達した時点で書き込みを終了制御する。
【０１３４】
なお、６４Ｍビット容量のトラックバッファ７の１００％記憶領域を、８Ｍｂｐｓ，４Ｍｂｐｓ，２Ｍｂｐｓに対応させて例えば８：４：２の割合で分割した場合、すなわち８Ｍｂｐｓ領域と４Ｍｂｐｓ領域と２Ｍｂｐｓ領域の大きさを８：４：２の比率とした場合、８Ｍｂｐｓ領域の実際の容量は３６．６Ｍビット、４Ｍｂｐｓ領域は１８．３Ｍビット、２Ｍｂｐｓ領域は９．１Ｍビットとなる。したがって、これら８Ｍｂｐｓ領域，４Ｍｂｐｓ領域，２Ｍｂｐｓ領域に対して、それぞれ８Ｍｂｐｓ，４Ｍｂｐｓ，２Ｍｂｐｓの各レートで圧縮データを記憶させた場合、各分割記憶領域が満杯になるまでの時間は、各分割記憶領域で共通の約４．５秒となる。
【０１３５】
また、この図１０の例では、１００％の記憶容量まで圧縮データを記憶する例を示しているが、上限容量（フル）までとすることも可能である。
【０１３６】
次に、この第１のテストモードにおいて、何れかの記録モード（圧縮／伸長レート）による再生の指示がなされると、システムコントローラ９は、その指示に対応して、トラックバッファ７から圧縮データを読み出し制御し、この読み出した圧縮データをＡＶ符号化復号化部６に供給する。
【０１３７】
例えば、８Ｍｂｐｓの転送レートによる記録モードの再生指示がなされた場合、システムコントローラ９は、トラックバッファ７の８Ｍｂｐｓ領域に記憶されている圧縮データを、８Ｄ１，８Ｄ２，８Ｄ３，・・・の順に読み出し制御し、これら圧縮データをＡＶ符号化復号化部６に供給する。或いは、４Ｍｂｐｓのレートによる記録モードの再生指示がなされた場合、システムコントローラ９は、トラックバッファ７の４Ｍｂｐｓ領域に記憶されている圧縮データを、４Ｄ１，４Ｄ２，４Ｄ３，・・・の順に読み出し制御し、これら圧縮データをＡＶ符号化復号化部６に供給する。或いは、２Ｍｂｐｓのレートによる記録モードの再生指示がなされた場合は、トラックバッファ７の２Ｍｂｐｓ領域に記憶されている圧縮データを、２Ｄ１，２Ｄ２，２Ｄ３，・・・の順に読み出し制御し、これら圧縮データをＡＶ符号化復号化部６に供給する。
【０１３８】
ＡＶ符号化復号化部６では、トラックバッファ７から供給された圧縮データを、各圧縮レートに対応する伸長レートでそれぞれ伸長復号化処理する。このＡＶ符号化復号化部６により伸長復号化処理された画像信号は、端子１１を介して図示しないモニタ装置に供給される。これにより、モニタ装置の表示画面には、第１のテストモード時の圧縮符号化／伸長復号化による各画像がそれぞれ４．５秒間分表示されることになる。
【０１３９】
ユーザは、このモニタ装置の表示画面に表示される画像を見て、各記録モードにおける圧縮／伸長レート毎に画質を評価することとなる。このため、画質と記録時間の関係から所望の記録モードを選択することができ、最良の記録モードを設定可能とすることができる。
【０１４０】
なお、この例では、トラックバッファ７の記憶容量を６４Ｍビットとしているが、この６４Ｍビットの記憶容量のＤＲＡＭの代わりに、例えば２５６Ｍビットの記憶容量のＤＲＡＭを用いた場合には、各分割領域においてそれぞれ１８秒程度分のデータを記憶することが可能となる。従って、前記モニタ装置には、１８秒程度分の画像が表示されることとなる。
【０１４１】
次に、当該実施の形態の光ディスク装置には、上述のマルチ記録モードによる圧縮符号化／伸長復号化の第１のテストモードのみならず、マルチ記録モードによる記録／再生のテストモード、すなわち、実際の光ディスク１に対して記録／再生を行うテストモードも設けられている。以下、このマルチ記録モードによる記録／再生のテストモードを、第２のテストモードと呼ぶことにする。
【０１４２】
この第２のテストモードでは、上述した高品位記録モード、中品位記録モード及び普通品位記録モードによって、実際に光ディスク１に対して記録／再生を行った場合の画質（記録品位）を確認可能とするために、例えば一つの画像信号を用いてそれぞれ８Ｍｂｐｓ，４Ｍｂｐｓ，２Ｍｂｐｓの圧縮レートにて時分割しながら圧縮符号化処理を行い、この時分割された各圧縮レートの圧縮データを、図９を用いて説明したようにトラックバッファ７の各分割記憶領域に順次書き込み制御する。そして、トラックバッファ７の記憶容量を管理しながら、トラックバッファ７の各分割記憶領域に記憶された各圧縮データを順次読み出し制御し、光ディスク１上に順次（８Ｄ１，８Ｄ２，８Ｄ３，・・・，４Ｄ１，４Ｄ２，４Ｄ３，・・・，２Ｄ１，２Ｄ２，２Ｄ３，・・・の順番で）書き込み制御し、その後、この光ディスク１から必要に応じてデータを再生し、再度トラックバッファ７を介して読み出し、それぞれ対応する伸長復号化を行ってモニタ装置等に表示する。
【０１４３】
この第２のテストモードによれば、元々同じ画質であった一つの画像信号を、異なる圧縮レートで圧縮符号化処理してトラックバッファ７上の異なる記憶領域に記憶制御することができ、また、光ディスク１上に記録することができるため、光ディスク１に記録された圧縮データを再生し、トラックバッファ７を介して読み出した圧縮データを伸長復号化処理することで、各圧縮／伸長レートによる圧縮符号化／伸長復号化及び光ディスク１の記録／再生後の画質を比較可能とすることができる。このため、好みの記録モードの選択を容易化することができる。
【０１４４】
このような第２のテストモードの動作をさらに詳細に説明すると、まず、ユーザによる例えばキー入力部１０からのキー操作入力情報、或いは入力端子１２からの制御データによって、第２のテストモードの設定入力がなされると、システムコントローラ９は、ＡＶ符号化復号化部６の符号化部（ＭＰＥＧエンコーダ）を第２のテストモードに設定する。
【０１４５】
第２のテストモードに設定されたＡＶ符号化復号化部６では、前述の第１のテストモードの時と同様に、記録すべき画像信号として供給された一つの画像データを、上述した８Ｍｂｐｓ，４Ｍｂｐｓ，２Ｍｂｐｓの圧縮レートにて時分割しながら圧縮符号化処理する。すなわち、この第２のテストモードにおいても、ＡＶ符号化復号化部６は、ワークＲＡＭとしてのＤＲＡＭ８を用いて、それぞれＭＰＥＧにおける一つのＧＯＰ単位の各圧縮レートの圧縮データを時分割で形成する。
【０１４６】
これらの各圧縮レートの圧縮データは、システムコントローラ９の制御により、トラックバッファ７の各分割記憶領域にそれぞれ記憶制御される。このトラックバッファ７の各分割記憶領域への書き込み動作も第１のテストモードと同様であり、システムコントローラ９は、図９を用いて説明したようにトラックバッファ７の各分割記憶領域にアドレッシングを行いながら、各レートの圧縮データをそれぞれ振り分けて記憶制御する。
【０１４７】
この第２のテストモードの場合も、６４Ｍビット容量のトラックバッファ７の１００％記憶領域を、８Ｍｂｐｓ領域と４Ｍｂｐｓ領域と２Ｍｂｐｓ領域の大きさを８：４：２の比率とすることができる。この場合、８Ｍｂｐｓ領域，４Ｍｂｐｓ領域及び２Ｍｂｐｓ領域には、それぞれ８Ｍｂｐｓ，４Ｍｂｐｓ，２Ｍｂｐｓの各レートお圧縮データを、それぞれ共通に約４．５秒分記憶することができる。
【０１４８】
次に、トラックバッファ７の記憶容量が１００％の記憶容量に達っすると、システムコントローラ９は、トラックバッファ７の残記憶容量の管理を継続しながら読み出し制御及び書き込み制御を継続し、８Ｍｂｐｓ領域，４Ｍｂｐｓ領域，２Ｍｂｐｓ領域から時分割で順次読み出された圧縮データを信号処理部５に供給する。
【０１４９】
信号処理部５では、トラックバッファ７の８Ｍｂｐｓ領域，４Ｍｂｐｓ領域，２Ｍｂｐｓ領域から時分割で読み出された圧縮データに対して、エラー訂正符号を付加し、また、アドレスや同期信号を付加してアンプ部４に供給すると共に、各記録モードの圧縮／伸長レートを示す制御データをもアンプ部４に供給する。
【０１５０】
アンプ部４に入力された各記録モードの信号は、さらに光学ヘッド３に供給され光ディスク１に記録されることとなる。
【０１５１】
すなわち、このときのシステムコントローラ９は、サーボ部８を介してドライバ７を制御することで、光ディスク１上の所定の記録開始セクタの位置に光学ヘッド３を移動させると共にトラッキング及びフォーカスサーボを行わせ、トラックバッファ７の各分割記憶領域のデータ配列順番に対応する８Ｄ１，８Ｄ２，８Ｄ３，・・・，４Ｄ１，４Ｄ２，４Ｄ３，・・・，２Ｄ１，２Ｄ２，２Ｄ３，・・・の順番でデータを光ディスク１に記録制御する。
【０１５２】
なお、この光ディスク１への記録の際に、トラックバッファ７の残記憶容量が下限容量になった時には、上述のように光ディスク１への記録を中断し、トラックバッファ７が上限容量に回復するまで記録待機状態となる。
【０１５３】
ここで、この第２のテストモードにおいて重要なことは、８Ｍｂｐｓ、４Ｍｂｐｓ、２Ｍｂｐｓの圧縮レートの圧縮データを、光ディスク１に順次記録できるようにするために、当該光ディスク１への記録レートを
８（Ｍｂｐｓ）＋４（Ｍｂｐｓ）＋２（Ｍｂｐｓ）＝１４（Ｍｂｐｓ）
よりも大きな値に設定する必要があることである。
【０１５４】
すなわち、光ディスク１の記録／再生レートを、前述した基本構成のように１０Ｍｂｐｓとすると、この１０Ｍｂｐｓの記録レートでは８Ｍｂｐｓ，４Ｍｂｐｓ，２Ｍｂｐｓの圧縮レートのデータを全て記録することができないため、第２のテストモードで光ディスク１の記録／再生を行う場合には、光ディスク１の回転速度を１４Ｍｂｐｓより高速な記録レートとなるように回転制御するようにしている。
【０１５５】
次に、この第２のテストモードにおいて、上述したように光ディスク１の所定の記録セクタへのデータ記録が終了した後、ユーザにより例えばキー入力部１０からのキー操作入力情報或いは入力端子１２からの制御データによって、何れかの記録モードによる再生の指示がなされると、システムコントローラ９は、その指示に対応してサーボ部８及びドライバ７を制御し、光学ヘッド３にて光ディスク１から所望のデータを再生させ、この再生データをアンプ部４を介して信号処理部５に供給する。
【０１５６】
信号処理部５は、再生データに対してエラー訂正処理等を施すのであるが、このとき、システムコントローラ９は、先にコントロールデータから検出した制御データ（記録モードの情報）に基づいて、信号処理部５から出力された圧縮データをトラックバッファ７に記憶制御し、さらに当該トラックバッファ７から圧縮データを読み出し制御してＡＶ符号化復号化部６に供給する。
【０１５７】
すなわち、この第２のテストモードにおいて、例えば８Ｍｂｐｓの転送レートによる記録モードの再生指示がなされた場合、システムコントローラ９は、光ディスク１の所定の記録セクタから８Ｍｂｐｓの圧縮レートで圧縮されたデータ（８Ｄ１，８Ｄ２，８Ｄ３，・・・の各圧縮データ）のみをその記録順に読み出し制御し、さらに信号処理部５での処理後の圧縮データをトラックバッファ７に順次書き込み制御する。そして、その後、このトラックバッファ７に記憶されている圧縮データをその書き込み順（８Ｄ１，８Ｄ２，８Ｄ３，・・・の順番）に読み出し制御し、各圧縮データをＡＶ符号化復号化部６にて伸長復号化処理させる。
【０１５８】
また、４Ｍｂｐｓのレートによる記録モードの再生指示がなされた場合、システムコントローラ９は、光ディスク１から４Ｍｂｐｓの圧縮レートで圧縮されたデータ（４Ｄ１，４Ｄ２，４Ｄ３，・・・の各圧縮データ）のみをその記録順に読み出し制御し、さらに信号処理部５での処理後の圧縮データをトラックバッファ７に順次書き込み制御する。そして、その後、このトラックバッファ７に記憶されている圧縮データをその書き込み順（４Ｄ１，４Ｄ２，４Ｄ３，・・・の順番）に読み出し制御し、各圧縮データをＡＶ符号化復号化部６にて伸長復号化させる。
【０１５９】
また、２Ｍｂｐｓのレートによる記録モードの再生指示がなされた場合、システムコントローラ９は、光ディスク１から２Ｍｂｐｓの圧縮レートで圧縮されたデータ（２Ｄ１，２Ｄ２，２Ｄ３，・・・の各圧縮データ）のみをその記録順に読み出し制御し、さらに信号処理部５での処理後の圧縮データをトラックバッファ７に順次書き込み制御する。そして、その後、このトラックバッファ７に記憶されている圧縮データをその書き込み順（２Ｄ１，２Ｄ２，２Ｄ３，・・・の順番）に読み出し制御し、各圧縮データをＡＶ符号化復号化部６にて伸長復号化させる。
【０１６０】
このように、ＡＶ符号化復号化部６により伸長復号化処理された画像信号を、端子１１を介して図示しないモニタ装置に供給することで、モニタ装置には当該第２のテストモード時の圧縮符号化／伸長復号化及び記録／再生による各画像がそれぞれ表示されることとなる。
【０１６１】
ユーザは、このモニタ装置の表示画面を見ることにより、各記録モードの記録モード毎に画質を評価することができ、画質と記録時間との関係から所望の記録モードを選択することができ、最良の記録モードを設定可能とすることができる。
【０１６２】
この第２のテストモードによれば、第１のテストモードのようにトラックバッファ７の容量に左右されることなく、長時間分のデータを光ディスク１に記録することができるため、モニタ装置にも長時間分の画像を表示することができ、テスト画像の評価も充分に行うことが可能となる。
【０１６３】
以上の説明から明らかなように、当該実施の形態の光ディスク装置は、圧縮伸長技術として例えばＭＰＥＧ２を採用し、記録時間や記録品質に応じた各記録モードに対応する圧縮符号化処理／伸長復号化処理を行うようになっており、各記録モードの選択を行う場合に、光ディスク１の記録／再生レートを、圧縮符号化／伸長復号化時の最大レート（本実施の形態では８Ｍｂｐｓ）より高いレートとなるような値、つまり光ディスク１の記録／再生速度をその記録／再生レートに固定した状態とし、さらに、トラックバッファ７の書き込み／読み出し制御を行う。これにより、各記録モードの切り換え選択を実現可能とすることができる。また、光ディスクの記録／再生時のレート（記録／再生レート）を固定、すなわち、光ディスクの回転時の線速度を固定しているため、線速度の変化に起因する記録特性の悪化を防止して良好な記録特性を得ることができる。
【０１６４】
また、第１のテストモードでは、それぞれの記録品位（記録画像）を確認する場合に、一つの画像信号を用いてそれぞれの記録モードによる記録画質のチェックを可能とするために、当該一つの画像信号を少なくとも２つの圧縮レートで時分割しながら圧縮し、この時分割された各圧縮レートの圧縮データを、トラックバッファ７上の分割された記憶領域に順次書き込むようにしている。この第１のテストモードによれば、元々同じ画質であった一つの画像信号を、異なる圧縮レートで圧縮してトラックバッファに記憶することができるため、トラックバッファに別々に記憶された圧縮データを読み出して伸長することにより、２つの圧縮レートによる圧縮後の画質を比較することができ、圧縮レートをテスト的に決定することを可能とすることができる。
【０１６５】
また、第２のテストモードでは、一つの画像信号を用いてそれぞれの記録モードによる記録画質のチェックができるようにするため、この一つの画像信号を少なくとも２つの圧縮レートで時分割しながら圧縮し、この時分割された各圧縮レートの圧縮データを、トラックバッファ７上の分割された記憶領域に順次書き込み、さらにトラックバッファ７の記憶容量を管理しながら、当該トラックバッファ７に記憶された各圧縮レートの圧縮データを順次読み出し、光ディスク上に別々に順次書き込むようにしている。
【０１６６】
この第２のテストモードによれば、元々同じ画質であった一つの画像信号を、異なる圧縮レートで圧縮してトラックバッファに記憶できると共に光ディスクにも記録できるので、この光ディスクに別々に記録された圧縮データを読み出して、その後伸長することにより、２つの圧縮レートによる圧縮後の画質を長時間に渡って比較することができ、その結果、好みの記録モードで映像を再生することを可能とすることができる。
【０１６７】
次に、当該実施の形態の例では、上述のように光ディスク１としてＤＶＤ−ＲＷのディスクが設けられているのであるが、このＤＶＤ−ＲＷのディスクの場合、全記録容量が４．７ＧＢ（ギガバイト）で、内周から外周までのアクセスに要する時間は例えば３ｓｅｃ程度となっている。
【０１６８】
光ディスク１にデータが全く記録されていない状態で、内周側から外周側にかけて動画を記録する場合には、トラックバッファ７が空になることはない。しかし、この光ディスク１に対して何度か記録を行い、このうちの一部を消去することで（編集を行うことで）、例えば内周側及び外周側の１ＧＢの領域が未記録で、この内周及び外周の間の２．７ＧＢの領域が記録済みとなり、この２．７ＧＢの領域をシークするのに２ｓｅｃの時間を要するとすると、トラックバッファ７の容量としては２ｓｅｃ以上の容量が必要となる。そして、トラックバッファ７がこの容量に満たない容量である場合には、前記シークする時間がないため、連続するデータは、内周側或いは外周側のいずれかの１ＧＢの空き領域に記録する必要がある。
【０１６９】
ここで、当該実施の形態の光ディスク装置は、トラックバッファ７が６４Ｍビットの容量を有しているため、光ディスク１に対する転送レートが１０Ｍｂｐｓ、入力側の転送レートが２Ｍｂｐｓ，４Ｍｂｐｓ，８Ｍｂｐｓとしても、それぞれ６．４ｓｅｃ、３２ｓｅｃ、１６ｓｅｃ、８ｓｅｃ分のデータを記憶しておけるため、この間に３ｓｅｃのシーク時間が発生しても、トラックバッファ７が空になることはなく、連続的なデータの記録を可能とすることができ、光ディスク１の容量が無駄となることはない。
【０１７０】
具体的には、図１１（ａ）は、光ディスク１上のデータ（音声情報及び映像情報等）を模式的に示す図であり、この例においては、コントロールデータに続いてデータのファイル１（Ｆｉｌｅ１）〜ファイル８（Ｆｉｌｅ８）がそれぞれディスク１上に記録されている。なお、コントロールデータが記録されている側がディスク内周側、データの一つであるファイル８（Ｆｉｌｅ８）が記録されている側がディスク外周側となっている。
【０１７１】
ここで、ユーザが、光ディスク１上に記録されている全ファイル（ファイル１〜ファイル８）の中からファイル２，ファイル４，ファイル６，ファイル８を削除したとすると、図１１（ｂ）に示すように光ディスク１上に４つの分割された空き領域が形成される。
【０１７２】
システムコントローラ９は、以下に説明する演算を行い、この演算結果に基づいて新たなデータを各空き領域に分割して記録することにより、一連のデータを連続して各空き領域に記録可能とし、また、各空き領域に分割して記録された各データを連続して再生可能としている。
【０１７３】
図１２に、システムコントローラ９が実行する記録制御のフローチャートを示す。このフローチャートは、当該ＤＶＤ記録再生装置のメイン電源が投入されることでスタートとなり、システムコントローラ９がステップＳ１からステップＳ７の各ルーチンの実行を開始する。
【０１７４】
まず、ステップＳ１では、システムコントローラ９が、光学ヘッド３を制御して光ディスク１の内周側に記録されているコントロールデータ（図４（ａ）参照）を再生し、これをトラックバッファ７に一旦記憶してステップＳ２に進む。
【０１７５】
ステップＳ２では、システムコントローラ９が、このトラックバッファ７に記憶されたコントロールデータ中に記録されている、データ領域中に記録されているビデオファイル等のデータの開始アドレスと終了アドレスの位置から、光ディスク１上の一部又は全ての空き領域の開始アドレス及び終了アドレスを検出すると共に、該各空き領域の容量を計算してステップＳ３に進む。
【０１７６】
ステップＳ３では、システムコントローラ９が、空き領域と次の空き領域との間に存在する各データ領域の大きさを計算すると共に、各データ領域のシークに要する時間であるシーク時間を検出してステップＳ４に進む。
【０１７７】
このシーク時間は、光ディスク１がＣＬＶ制御であるため、空き領域の終了アドレスから次の空き領域の開始アドレスまでの間のアドレス差を計算し、システムコントローラ９内のＲＯＭに記憶されているシークテーブルを参照することでトラック移動本数を求め、このトラック移動本数に基づいて、後に説明する所定の係数演算を行うことで算出される。
【０１７８】
次にステップＳ４では、システムコントローラ９が、２Ｍｂｐｓ，４Ｍｂｐｓ，８Ｍｂｐｓでの各転送レート（各記録モード）毎に、連続記録再生可能な空き領域を検出し、連続再生に適していない空き領域を除いた各空き領域（連続再生を可能とする空き領域）に基づいて、記録順序を決定すると共に、この決定した全空き領域の容量に対して転送レートを乗算して記録可能時間を計算してステップＳ５に進む。
【０１７９】
すなわち、
光ディスク１への記録再生の転送レートを  Ａ（Ｍｂｐｓ）、
入力信号の圧縮後の転送レートを          Ｂ（Ｍｂｐｓ）、
トラックバッファ７の容量を              Ｃ（Ｍｂ）、
所定のシーク時間を                      Ｔ（ｍｓｅｃ）、
所定の領域の記録時間を                  Ｔｗ（ｍｓｅｃ）、
所定の空き領域の記録容量を              ｍ（Ｍｂ）
とした場合、所定の空き領域にデータを記録する際に要する時間（記録時間Ｔｗ
）は、「Ｔｗ＝ｍ／Ａ」となる。
【０１８０】
ここで、記録済み領域をシーク中にトラックバッファ７を上限容量（フル）にしないためには、トラックバッファ７の容量Ｃを入力信号の転送レートＢで記録している時間よりも、シーク時間Ｔを短くする必要がある（Ｃ／Ｂ＞Ｔ）。なお、このシーク時間Ｔは、トラックを移動する時間及び回転待ち時間を含む時間である。
【０１８１】
次に、一つ目の空き領域に記録したデータに連続するデータを２つ目の空き領域に記録するには、この２つ目の空き領域の記録中にトラックバッファ７が下限容量（エンプティ）近辺になるような所定以上の容量が必要となる。これは、２つ目の空き領域の容量が所定以上ないと、トラックバッファ７の記憶容量の残量が少なくならずに、次のシーク中にトラックバッファ７がオーバーフローしてしまうためである。
【０１８２】
この場合、２つ目の空き領域が有すべき容量は、
「（Ａ−Ｂ）／Ａ＞ Ｔ／（ｍ／Ａ＋Ｔ）」であり、
「ｍ＞（Ａ×Ｂ×Ｔ）／（Ａ−Ｂ）」である。
【０１８３】
すなわち、転送レートの差に相当するトラックバッファ７の容量を、シーク時間Ｔでの転送レートＢの容量が越えないようにしなければならない。前述のように、シーク時間Ｔは、入力信号の転送レートに応じて変化するため、実際に記録するときの転送レートＢによって、記録に必要な空き領域の容量が変動することとなる。
【０１８４】
具体的には、例えば外周から内周までの最大のシーク時間Ｔを３ｓｅｃ、入力信号の圧縮後の転送レートＢを２Ｍｂｐｓ、ディスク１への記録再生の転送レートＡを１０Ｍｂｐｓとすると、空き領域の容量としては７．５Ｍｂ以上の容量が必要であり、シーク時間Ｔを３ｓｅｃ、入力信号の圧縮後の転送レートＢを８Ｍｂｐｓ、ディスク１への記録再生の転送レートＡを１０Ｍｂｐｓとすると、空き領域の容量としては１２０Ｍｂ以上必要となる。
【０１８５】
なお、例えばＲＯＭの中に予め演算した計算結果をテーブル化して記憶しておき、記録再生時にこれを参照してシーク時間や空き領域の容量等を得るようにしてもよい。
【０１８６】
また、ＤＶＤＲＷ（ＲＷ：リライタブル）の場合、１倍速でのディスクへの書き込み速度は１１．０８Ｍｂｐｓ又は１０．０８Ｍｂｐｓであるが、この例においては説明を簡素化するために、１倍速でのディスクへの書き込み速度を例えば１０Ｍｂｐｓとして説明している。
【０１８７】
システムコントローラ９は、このような演算により全空き領域の容量を検出すると、ステップＳ５において、図１３に示すように光ディスク１上の全空き領域の容量、及び各転送レート毎の記録可能時間（及び実効空き容量）をモニタ装置に表示制御してステップＳ６に進む。このように、各転送レート毎の記録可能時間（及び実効空き容量）等をモニタ装置に表示することで、ユーザは、所望の転送レートの選択が可能となる。
【０１８８】
なお、この図１３に示す例において、全空き領域の容量が２ＧＢであるのに対して、実行空き領域が１．０ＧＢ、１．５ＧＢ等のように少なくなっているが、これは、記録に不適当と判断された空き領域（容量不足の空き領域）は使用せずに、記録に適当と判断された空き領域のみ使用して記録情報の記録を行うためである。
【０１８９】
次に、ステップＳ６では、システムコントローラ９が、ユーザにより所望の転送レートの選択がなされたか否かを判別する。そして、所望の転送レートの選択がなされていない場合は（Ｎｏの場合は）転送レートの入力待ち状態となり、当該ステップＳ６を繰り返し実行し、所望の転送レートの選択がなされた場合は（Ｙｅｓの場合は）ステップＳ７に進む。
【０１９０】
ステップＳ７では、システムコントローラ９が、ユーザにより選択された転送レートに対応する連続記録再生可能な空き領域を検出すると共に、この記録順序を決定してステップＳ８に進む。ステップＳ８では、システムコントローラ９が、図１に示す端子１１を介して記録すべきデータの入力がなされたか否かを判別し、データの入力がなされない場合は（Ｎｏの場合は）、データの入力がなされるまで当該ステップＳ８のルーチンを繰り返し実行し、データの入力がなされた場合は、ステップＳ９に進む。
【０１９１】
ステップＳ９では、システムコントローラ９が、前記ステップＳ７において決定した記録順序に従って図１に示す端子１１を介して供給されるデータを記録制御する。そして、ユーザから記録停止が指定されたタイミングで当該図１２のフローチャートに示す全ルーチンの実行が終了となる。
【０１９２】
なお、システムコントローラ９は、データの記録が終了すると、この記録したデータと記録位置（アドレス）に関する情報をコントロールデータとして光ディスク１の前記コントロール領域（図１１（ａ）参照）に書き込み制御する。
【０１９３】
データの具体的な記録形態は、図１１（ｃ）〜（ｅ）に示すようになっている。図１１（ｃ）は転送レートが２Ｍｂｐｓの場合の記録形態、図１１（ｄ）は転送レートが４Ｍｂｐｓの場合の記録形態、図１１（ｅ）は転送レートが８Ｍｂｐｓの場合の記録形態を示している。
【０１９４】
まず、転送レートが２Ｍｂｐｓの場合における図１１（ｃ）に示す例では、ファイル２、ファイル４、ファイル６、ファイル８のデータを消去することで形成された各空き領域の容量が順に大きく（容量：ファイル２＜ファイル４＜ファイル６＜ファイル８）、ファイル３よりファイル５のトータル距離が短く、また、ファイル５よりファイル７のトータル距離が短くなっている。ファイル３よりファイル５のトータル距離が短いということは、ファイル３のシーク時間よりもファイル５のシーク時間の方が短くなっている（シーク時間：ファイル３＞ファイル５）。また、ファイル５よりファイル７のトータル距離が短いということは、ファイル５のシーク時間よりもファイル７のシーク時間の方が短くなっている（シーク時間：ファイル５＞ファイル７）。
【０１９５】
このような空き領域の状況において、その空き領域の前段に位置するデータファイルをシークしている間にトラックバッファ７がフルとならなければその空き領域にデータを記録しても連続再生が可能となる。このため、転送レートが２Ｍｂｐｓである場合には、図１１（ｃ）に示すように、まず、ファイル１のデータ領域をシークによりジャンプし、ファイル２を消去することで形成された空き領域にファイル１１のデータを記録し、ファイル３のデータ領域をシークによりジャンプし、ファイル４を消去することで形成された空き領域にファイル１２のデータを記録する。また、ファイル５のデータ領域をシークしてファイル６を消去することで形成された空き領域にファイル１３のデータを記録し、ファイル７のデータ領域をシークしてファイル８を消去することで形成された空き領域にファイル１４のデータを記録する。
【０１９６】
次に、空き領域の状況が図１１（ｂ）に示す状況と同じ場合において、転送レートが４Ｍｂｐｓである場合、転送レートが２Ｍｂｐｓの場合よりもトラックバッファ７に記憶できる時間が短くなることで、例えばファイル１のデータ領域をシークによりジャンプしている間にトラックバッファ７がフルとなってしまうとすると、図１１（ｄ）に示すように、ファイル２を消去することで形成された空き領域は不適当と判断してデータの記録には用いない。
【０１９７】
そして、ファイル３のデータ領域をシークによりジャンプしてファイル４を消去することで形成された空き領域にファイル２１のデータの記録を行い、同様にファイル５、ファイル７のデータ領域をシークによりジャンプしてファイル６、ファイル８を消去することで形成された各空き領域にファイル２２、ファイル２３の各データをそれぞれ記録する。
【０１９８】
次に、空き領域の状況が図１１（ｂ）に示す状況と同じ場合において、転送レートが８Ｍｂｐｓである場合、転送レートが４Ｍｂｐｓの場合よりもトラックバッファ７に記憶できる時間がさらに短くなることで、例えばファイル１及びファイル３のデータ領域をシークによりジャンプしている間にトラックバッファ７がフルとなってしまうとすると、図１１（ｅ）に示すように、ファイル２を消去することで形成された空き領域及びファイル４を消去することで形成された空き領域は不適当と判断してデータの記録には用いない。
【０１９９】
そして、ファイル５のデータ領域をシークによりジャンプしてファイル６を消去することで形成された空き領域にファイル３１のデータの記録を行い、ファイル７のデータ領域をシークによりジャンプしてファイル８を消去することで形成された空き領域にファイル３２のデータを記録する。
【０２００】
以上の説明から明らかなように、当該実施の形態の光ディスク装置は、
入力信号の圧縮後の転送レートを      Ｂ（Ｍｂｐｓ）、
トラックバッファ７の容量を          Ｃ（Ｍｂ）、
所定のシーク時間を                  Ｔ（ｍｓｅｃ）
として「Ｃ／Ｂ＞Ｔ」となる場合に、その空き領域を連続的な信号の記録再生が可能な空き領域と判断してデータの記録を行う。
【０２０１】
また、
ディスク１への記録再生の転送レートを  Ａ（Ｍｂｐｓ）、
入力信号の圧縮後の転送レート      を  Ｂ（Ｍｂｐｓ）、
所定の領域の記録容量              を  ｍ（Ｍｂ）
所定のシーク時間                  を  Ｔ（ｍｓｅｃ）、
として「ｍ＞（Ａ×Ｂ×Ｔ）／（Ａ−Ｂ）」となる場合に、その空き領域を連続的な信号の記録再生が可能な空き領域と判断してデータの記録を行う。
【０２０２】
これにより、編集等によりディスク１上に空き領域が点在する状態となった場合でも、動画等の連続した信号を切れ目無く記録再生可能とすることができる。
【０２０３】
また、全空き領域の容量や、各転送レート（この場合は、２Ｍｂｐｓ，４Ｍｂｐｓ，８Ｍｂｐｓ）での記録可能時間（及び実効空き容量）を表示することにより、ユーザに対して光ディスク１の空き領域の有効利用の判断材料を提供することができる。このため、記録により無駄となる光ディスク１の空き領域を削減可能とすることができる。
【０２０４】
なお、上述の演算動作の説明では、「Ｃ／Ｂ＞Ｔ」及び「ｍ＞（Ａ×Ｂ×Ｔ）／（Ａ−Ｂ）」の両方を満足する場合に、その空き領域を連続的な信号の記録再生が可能な空き領域と判断することとしたが、これは、「Ｃ／Ｂ＞Ｔ」或いは「ｍ＞（Ａ×Ｂ×Ｔ）／（Ａ−Ｂ）」のいずれか一方で判断するようにしてもよい。
【０２０５】
最後に、本発明は、一例として説明した上述の実施の形態に限定されることはない。このため、例えばＤＶＤに限らずＭＯ(magneto optical)ディスクやＭＤ等に適用してもよい。また、圧縮／伸長レートを変えて記録／再生する信号も画像信号に限らず、オーディオ信号等としてもよい。さらに、光ディスク１の回転制御は、線速度一定（ＣＬＶ）制御であることとしたが、これは、角速度一定（ＣＡＶ）制御或いはいわゆるゾーンＣＡＶ制御等において、例えば光ディスク１の内周から外周までの間を半径毎に複数（例えば３０領域程度）に分割し、トラックのアドレスをシステムコントローラが管理しながら各分割領域内で線速度を一定に制御するようにしてもよい。そして、この他であっても、本発明に係る技術的思想を逸脱しない範囲であれば、設計等に応じて種々の変更が可能であることは勿論である。
【図面の簡単な説明】
【０２０６】
【図１】本発明実施の形態の光ディスク装置の概略構成を示すブロック図である。
【図２】ＣＬＶディスクの概念図である。
【図３】記録時において、２Ｍｂｐｓで圧縮されたデータをトラックバッファへ書き込み／読み出しする際のバッファ制御の様子を概念的に示す概念図である。
【図４】記録時において、４Ｍｂｐｓで圧縮されたデータをトラックバッファへ書き込み／読み出しする際のバッファ制御の様子を概念的に示す概念図である。
【図５】記録時において、８Ｍｂｐｓで圧縮されたデータをトラックバッファへ書き込み／読み出しする際のバッファ制御の様子を概念的に示す概念図である。
【図６】再生時において、２Ｍｂｐｓで圧縮されたデータをトラックバッファへ書き込み／読み出しする際のバッファ制御の様子を概念的に示す概念図である。
【図７】再生時において、４Ｍｂｐｓで圧縮されたデータをトラックバッファへ書き込み／読み出しする際のバッファ制御の様子を概念的に示す概念図である。
【図８】再生時において、８Ｍｂｐｓで圧縮されたデータをトラックバッファへ書き込み／読み出しする際のバッファ制御の様子を概念的に示す概念図である。
【図９】８，４，２Ｍｂｐｓの圧縮データが記憶されるトラックバッファの各分割記憶領域を概念的に示す概念図である。
【図１０】８，４，２Ｍｂｐｓの圧縮データをトラックバッファの各分割記憶領域へ書き込む際のバッファ容量変化の様子を概念的に示す概念図である。
【図１１】光ディスク上に点在する空き領域、及び各転送レートに応じて各空き領域に記録される記録信号の記録位置を説明するためのディスクの模式図である。
【図１２】本発明の実施の形態の光ディスク装置の記録動作を説明するためのフローチャートである。
【図１３】各転送レート毎に算出され表示される記録可能時間等の表示例を示す図である。
【符号の説明】
【０２０７】
１…光ディスク、２…スピンドルモータ、３…光学ヘッド、４…アンプ部、５…信号処理部、６…ＡＶ符号化復号化部、７…６４Ｍビットのトラックバッファ、８…１６Ｍビットのトラックバッファ、９…システムコントローラ、１０…キー入力部、１１…オーディオ，ビデオ信号の入出力端子、１２…制御データの入力端子
【図１】
2008010148.tif 000003
【図２】
2008010148.tif 000004
【図３】
2008010148.tif 000005
【図４】
2008010148.tif 000006
【図５】
2008010148.tif 000007
【図６】
2008010148.tif 000008
【図７】
2008010148.tif 000009
【図８】
2008010148.tif 000010
【図９】
2008010148.tif 000011
【図１０】
2008010148.tif 000012
【図１１】
2008010148.tif 000013
【図１２】
2008010148.tif 000014
【図１３】
2008010148.tif 000015